(57)【要約】      （修正有）【課題】エアクリーナー用アセンブリであって、フィルタカートリッジ取り替え時に取り付けとシールを確実にするフィルタカートリッジと取り付け方法を提供する。【解決手段】フィルタカートリッジ４０は、カートリッジ内部空間に伸びるようにハウジングに取り付けられているカートリッジ支持体５５によって支持される。該支持体は、２次あるいは安全フィルタ用の濾材支持体として使用することができる。フィルタカートリッジとカートリッジ支持体との係合によって、フィルタカートリッジの閉じた端部で片持ちばりの支持と、フィルタカートリッジとカートリッジ支持体との間で回転しない支持と、の両方を提供する。【選択図】図４
2014054630.tif 000002
【特許請求の範囲】
【請求項１】
エアフィルタカートリッジであって、
（ａ）第１端部と、第２端部とを持ち、開いているフィルタ内部を取り囲む濾材積層体と、
（ｂ）前記濾材積層体の第１端部上に配置されている第１端部キャップと、
（i）前記第１端部キャップは、その中に中央開口部を持ち、
（ｃ）前記第１端部キャップ上に配置されたハウジングのシール部材と、
（ｄ）前記濾材積層体の第２端部上にあって内面と外面とを含む第２端部キャップと、を有し、
（i）前記外面は、少なくとも１つの曲がりくねった壁を持つ受け溝を含み、
（ii）前記外面は、前記受け溝によって取り囲まれている、外側に突出している突起物を含み、
（iii）前記内面は、前記第１端部キャップから離れる方向に突出している中央受容突起物を含み、
（Ａ）前記中央受容突起物は、前記受け溝によって取り囲まれている、
ことを特徴とするエアフィルタカートリッジ。
【請求項２】
（ａ）前記受け溝は、８つの花弁形状物を持つことを特徴とする請求項１に記載のエアフィルタカートリッジ。
【請求項３】
（ａ）前記濾材積層体は、ひだ付き濾材を含むことを特徴とする請求項１または請求項２に記載のエアフィルタカートリッジ。
【請求項４】
（ａ）前記濾材積層体は、第１端部キャップから第２端部キャップまで下方方向にテーパ状に延長している円錐形状を持つことを特徴とする請求項１乃至請求項３のうちのいずれか１項に記載のエアフィルタカートリッジ。
【請求項５】
（ａ）前記受け溝は、曲がりくねった内壁と外壁とを持つ曲がりくねった受け溝であることを特徴とする請求項１乃至請求項４のうちのいずれか１項に記載のエアフィルタカートリッジ。
【請求項６】
（ａ）前記受け溝は、２５ｍｍ未満の距離で間隔を空けて配置されている内壁と外壁とを持つことを特徴とする請求項１乃至請求項５のうちのいずれか１項に記載のエアフィルタカートリッジ。
【請求項７】
（ａ）前記ハウジングのシール部材は、半径方向に向いたシールを形成するように構成されることを特徴とする請求項１乃至請求項６のうちのいずれか１項に記載のエアフィルタカートリッジ。
【請求項８】
（ａ）前記濾材積層体は、濾材支持体と、シール支持体とを持つインナーライナを含み、
（ｂ）前記ハウジングのシール部材は、前記インナーライナ上に配置されているシール突起物であり、
（i）前記シール支持体は、前記濾材支持体と一体となっており、前記濾材支持体の直接隣接する部分よりも大きい直径を持ち、
（ii）前記第２端部キャップの一部は、前記受け溝、前記外側に突出した突起物、および前記濾材支持体と一体となっている前記中央受容突起物を形成することを特徴とする請求項７に記載のエアフィルタカートリッジ。
【請求項９】
（ａ）前記濾材積層体はひだ付き濾材を含み、
（ｂ）前記受け溝の外壁は、前記濾材積層体の濾材から少なくとも２０ｍｍの距離だけ離れていることを特徴とする請求項１乃至請求項８のうちのいずれか１項に記載のエアフィルタカートリッジ。
【請求項１０】
エアクリーナ用アセンブリであって、
（ａ）内部空間を画定し、空気の流入口と、空気の流出口とを持つハウジングであって、
（i）点検用のアクセス端部と、前記アクセス端部の上方に配置されている取り外し可能なアクセスカバーとを画定し、
（ii）前記アクセスカバーは、その上に前記アクセスカバーから前記ハウジングの内部空間に伸びている中央突起物を含む、前記ハウジングと、
（ｂ）前記アクセスカバーの反対側の前記ハウジングの端部から前記アクセスカバーに向かって突出する中央カートリッジ支持体であって、
（i）前記アクセスカバーの反対側の前記ハウジングの端部から遠く離れている第１端部を持ち、前記中央カートリッジ支持体の前記第１端部は、前記アクセスカバーに向かって伸びている中央突起物を取り囲む受け溝を含む、前記中央カートリッジ支持体と、
（ｃ）前記ハウジングの内部空間に取り外し可能に配置されているエアフィルタカートリッジと、を有し、前記エアフィルタカートリッジは、
（i）第１端部と第２端部を持ち、開いているフィルタ内部空間を取り囲む濾材積層体と、
（ii）前記濾材積層体の第１端部上に配置された第１端部キャップと、
（Ａ）前記第１端部キャップは、その中に中央開口部を持ち、
（iii）前記第１端部キャップ上に配置されたハウジングのシール部材と、
（iv）前記濾材積層体の第２端部上にあって、閉じている端部キャップである第２端部キャップであって、
（Ａ）前記中央カートリッジ支持体の前記第１端部上の前記受け溝中に突出する部分を含み、
（Ｂ）前記中央カートリッジ支持体の前記中央突起物の上方に伸びている部分を含み、
（Ｃ）その中に受け突起物を持つ外面を含み、
（１）前記アクセスカバー上の前記中央突起物は、前記第２端部キャップの外面上の受け溝中に突出している、第２端部キャップと、
を有することを特徴とするエアクリーナ用アセンブリ。
【請求項１１】
（ａ）前記第２端部キャップの外面上の受け溝は、曲がりくねった外壁を持つことを特徴とする請求項１０に記載のエアクリーナ用アセンブリ。
【請求項１２】
（ａ）前記第２端部キャップの外面上の受け溝は、曲がりくねった内壁を持つことを特徴とする請求項１１に記載のエアクリーナ用アセンブリ。
【請求項１３】
（ａ）前記第２端部キャップの外面上の受け溝は、２５ｍｍ未満の距離で間隔をあけて配置されている内壁と外壁とを持つことを特徴とする請求項１０乃至請求項１２のうちのいずれか１項に記載のエアクリーナ用アセンブリ。
【請求項１４】
（ａ）前記アクセスカバー上の前記中央突起物は、曲がりくねった突起物であることを特徴とする請求項１０乃至請求項１３のうちのいずれか１項に記載のエアクリーナ用アセンブリ。
【請求項１５】
エアクリーナ用アセンブリであって、
（ａ）ハウジング本体と、アクセスカバーとを含むハウジングであって、
（i）前記ハウジング本体が、側壁と、中央カートリッジ支持体と、を含み、
（ii）前記側壁が、開いている端部を持つハウジング本体の内部空間を画定し、
（iii）前記ハウジング本体が、その中を通過する空気流れの開口部を画定する端部を持ち、
（iv）前記中央カートリッジ支持体が、支持体基部から前記ハウジングの開いている端部に向かって伸びており、
（Ａ）前記中央カートリッジ支持体が、前記支持体基部から遠く離れている支持体端部を持ち、
（Ｂ）前記支持体端部は、第２の中央突起物を取り囲みかつ前記第２の中央突起物から間隔をあけて配置されておりかつ前記第２の中央突起物との間で支持体端部の受け部空間を画定する第１のリング状突起物を含む、前記ハウジングと、
（ｂ）前記ハウジング本体の内部空間中に配置されている、点検可能なエアフィルタ用第１カートリッジであって、
（i）開いているフィルタ内部空間を取り囲こみ、第１端部キャップと第２端部キャップとの間で伸びている濾材積層体を有し、
（ii）前記第１端部キャップは、その中に中央開口部を持ち開いている端部キャップであり、かつハウジングシール部を持ち、
（iii）前記第２端部キャップは、閉じた端部キャップであり、
（Ａ）中央受け部と、
（Ｂ）前記中央受け部を取り囲む内側に突出している部分と、を持つ内面を含み、
（iv）前記第２端部キャップは、受け溝をその中に持つ外面を含み、
（v）前記点検可能なエアフィルタ用第１カートリッジは、
（Ａ）前記エアフィルタ用第１カートリッジ上の前記ハウジングシール部が、前記ハウジングの一部にシールされ、
（Ｂ）前記中央カートリッジ支持体が、前記第１端部キャップの開いている開口部を通って前記開いているフィルタ内部空間に突出し、
（Ｃ）前記中央カートリッジ支持体の前記支持体端部上の前記第１のリング状突起物は、前記第２端部キャップに向かって突出し、
（Ｄ）前記ハウジング本体の中央カートリッジ支持体の前記支持体端部上の前記第２の中央突起物が、前記第２端部キャップの前記中央受け部中に突出している状態で、前記ハウジング本体の内部空間に配置されている、前記エアフィルタ用第１カートリッジと、
（ｃ）前記ハウジング本体の開いている端部上に固定されており、第１の突起物を持つ内面を含む、前記アクセスカバーであって、
（Ａ）前記アクセスカバーの内面上の前記第１の突起物が、前記エアフィルタ用第１カートリッジの第２端部キャップ上の受け溝に突出している状態で配置されている、前記アクセスカバーと、
を有することを特徴とするエアクリーナ用アセンブリ。
【請求項１６】
（ａ）前記第２端部キャップの内面は、前記中央受け部を取り囲み、かつ間隔をあけて配置されているリング状受け部を含み、
（ｂ）前記中央カートリッジ支持体の支持体端部上の前記第１のリング状突起物は、前記第２端部キャップの前記内面上の前記リング状受け部中に突出している、ことを特徴とする請求項１５に記載のエアクリーナ用アセンブリ。
【請求項１７】
（ａ）前記エアフィルタ用第１カートリッジの前記第２端部キャップの前記外面は、その上に中央から外側に突出する突起物を含み、
（i）前記中央から外側へ突出する突起物は、その内面上に前記中央受け部を画定し、
（ｂ）前記アクセスカバーは、前記内面上に、外側に突出する受け部を含み、
（i）前記アクセスカバー上の前記外側に突出する受け部は、前記エアフィルタ用第１カートリッジの前記第２端部キャップ上の前記中央から外側へ突出する突起物を収容することを特徴とする請求項１５または請求項１６に記載のエアクリーナ用アセンブリ。
【請求項１８】
（ａ）第１端部キャップと、前記第１端部キャップに固定された濾材の延長部分とを持つ、点検可能な第２のエアフィルタを含み、
（i）前記第１端部キャップは、中央開口部を持ち、
（ii）前記点検可能な第２のフィルタは、
（Ａ）前記エアフィルタ用第１カートリッジの前記開いているフィルタ内部空間に配置され、
（Ｂ）前記第２のエアフィルタの前記濾材が前記中央カートリッジ支持体を取り囲む状態で配置され、
（Ｃ）前記第２のエアフィルタの第１端部キャップの前記中央開口部は、前記中央カートリッジ支持体の前記支持体端部の一部の周囲に配置された状態で、かつ、前記中央支持体の前記リング状突起物が、前記中央開口部に突出する状態で、配置されていることを特徴とする請求項１５乃至請求項１７のうちのいずれか１項に記載のエアクリーナ用アセンブリ。
【請求項１９】
（ａ）前記アクセスカバーの内面上の前記第１の突起物は、リング状突起物であることを特徴とする請求項１５乃至請求項１８のうちのいずれか１項に記載のエアクリーナ用アセンブリ。
【請求項２０】
（ａ）前記アクセスカバーの内面上の第１の突起物は、曲がりくねった内壁の表面と、曲がりくねった外壁の表面とを持っているリング状突起物であり、
（ｂ）前記エアフィルタ用第１カートリッジの第２端部キャップの外面上の受け溝は、曲がりくねった外壁を持つことを特徴とする請求項１５乃至請求項１９のうちのいずれか１項に記載のエアクリーナ用アセンブリ。
【請求項２１】
（ａ）前記エアフィルタ用第１カートリッジの第２端部キャップの外面上の受け溝は、曲がりくねった内壁を持つことを特徴とする請求項１５乃至請求項２０のうちのいずれか１項に記載のエアクリーナ用アセンブリ。
【請求項２２】
（ａ）前記アクセスカバー上の前記第１のリング状突起物は、前記エアフィルタ用第１カートリッジの第２端部キャップの前記外面上の前記受け溝中に回転しないように係合されていることを特徴とする請求項２０または請求項２１に記載のエアクリーナ用アセンブリ。
【請求項２３】
（ａ）前記エアフィルタ用第１カートリッジの前記外面上の前記受け溝は、２５ｍｍ未満の距離で間隔を開けて配置されている内壁と外壁とを持つことを特徴とする請求項１５乃至請求項２２のうちのいずれか１項に記載のエアクリーナ用アセンブリ。
【請求項２４】
（ａ）前記中央カートリッジ支持体の前記支持体端部の第１のリング状突起物は、半径方向の内側に向いた、曲がりくねった表面を持ち、
（ｂ）前記エアフィルタ用第１カートリッジの第２端部キャップの内面は、半径方向の外側に向いた、曲がりくねった表面を持つリング状受け部を持つことを特徴とする請求項１５乃至請求項２３のうちのいずれか１項に記載のエアクリーナ用アセンブリ。
【請求項２５】
（ａ）前記エアフィルタ用第１カートリッジの第２端部キャップの内面上のリング状受け部は、前記中央カートリッジ支持体の前記支持体端部上の前記第１のリング状突起物と回転しないように係合されていることを特徴とする請求項２４に記載のエアクリーナ用アセンブリ。
【請求項２６】
（ａ）前記中央カートリッジ支持体は、前記ハウジングの端部端壁に隣接する基部領域から前記支持体端部に向かって直径がテーパ状に延長している円錐状の側壁部を含むことを特徴とする請求項１５乃至請求項２５のうちのいずれか１項に記載のエアクリーナ用アセンブリ。
【請求項２７】
（ａ）前記円錐状の側壁部は、少なくとも１度の角度の円錐状のテーパを持つことを特徴とする請求項２６に記載のエアクリーナ用アセンブリ。
【請求項２８】
（ａ）前記中央カートリッジ支持体は、多孔性の側壁部分を含むことを特徴とする請求項１５乃至請求項２７のうちのいずれか１項に記載のエアクリーナ用アセンブリ。
【請求項２９】
（ａ）前記エアフィルタ用第１カートリッジの濾材積層体は、前記第１端部キャップから前記第２端部キャップまで下向方向にテーパ状に延長している円錐状の側壁部を持つことを特徴とする請求項１５乃至請求項２８のうちのいずれか１項に記載のエアクリーナ用アセンブリ。
【請求項３０】
（ａ）前記エアフィルタ用第１カートリッジの前記円錐状の側壁部は、少なくとも０.５度の円錐角度を持つことを特徴とする請求項２９に記載のエアクリーナ用アセンブリ。
【請求項３１】
（ａ）前記中央カートリッジ支持体は、第１の円錐角度の円錐状の側壁部を持ち、
（ｂ）前記エアフィルタ用第１カートリッジの濾材積層体は、第２の円錐角度の円錐状の側壁部を持ち、
（i）前記第１の円錐角度は、前記第２の円錐角度より大きいことを特徴とする請求項１５乃至請求項３０のうちのいずれか１項に記載のエアクリーナ用アセンブリ。
【請求項３２】
エアフィルタカートリッジであって、
（ａ）開いているフィルタ内部空間を取り囲こみ、第１端部と第２端部とを持つ濾材積層体と、
（ｂ）前記濾材積層体の第１端部中に配置された第１端部キャップと、
（i）前記第１端部キャップは、その中に中央開口部を持ち、
（ｃ）前記第１端部キャップに配置されているシール部材と、
（ｄ）前記濾材積層体の第２端部上に配置され、内面と外面を含む第２端部キャップであって、
（i）前記外面は、その中に少なくとも６ｍｍの深さの第１の受け溝を含み、
（Ａ）前記第１の受け溝の外壁は、前記濾材積層体から少なくとも２０ｍｍの距離だけ半径方向の内側に間隔をおいて配置されており、
（ii）前記内面は、前記第１端部キャップから外側に離れる方向に突出する中央受け部を持ち、
（iii）前記中央受け部は、前記受け溝によって取り囲まれている、前記第２端部キャップと、
を有することを特徴とするエアフィルタカートリッジ。
【請求項３３】
（ａ）前記第２端部キャップの前記外面中の前記受け溝は、２５ｍｍ未満の距離で間隔をあけて配置されている壁の間に配置されることを特徴とする請求項３２に記載のエアフィルタカートリッジ。
【請求項３４】
（ａ）前記第２端部キャップの前記外面中の前記受け溝は、１０ｍｍ未満の距離で間隔をあけて配置されている壁の間に画定されることを特徴とする請求項３２または請求項３３に記載のエアフィルタカートリッジ。
【請求項３５】
（ａ）前記受け溝は、曲がりくねった外壁を持つことを特徴とする請求項３２乃至請求項３４のうちのいずれか１項に記載のエアフィルタカートリッジ。
【請求項３６】
（ａ）前記受け溝は、曲がりくねった内壁を持つことを特徴とする請求項３２乃至請求項３５のうちのいずれか１項に記載のエアフィルタカートリッジ。
【請求項３７】
（ａ）前記受け溝の内壁と外壁のそれぞれは、互いに対面する曲がりくねった表面を持つことを特徴とする請求項３２乃至請求項３６のうちのいずれか１項に記載のエアフィルタカートリッジ。
【請求項３８】
（ａ）前記第２端部キャップの前記内面は、前記受け溝から前記第２端部キャップの反対の側部上に画定されている、内側に突出する突起物を含み、
（i）前記内側に突出する突起物は、曲がりくねった外側の側壁の表面を持ち、
（ｂ）前記第２端部キャップの前記内面は、リング状受け部を画定し、前記内側に突出する突起物の曲がりくねった外側の側壁の表面は、前記リング状受け部の半径方向の内側で外方向に面している表面を画定することを特徴とする請求項３２乃至請求項３７のうちのいずれか１項に記載のエアフィルタカートリッジ。
【請求項３９】
（ａ）前記濾材積層体は、ひだ付き濾材を含むことを特徴とする請求項３２乃至請求項３８のうちのいずれか１項に記載のエアフィルタカートリッジ。
【請求項４０】
（ａ）前記濾材積層体で、円錐状は前記第１端部キャップから前記第２端部キャップまで下向方向にテーパ形状に延長している円錐状形状を持つことを特徴とする請求項３２乃至請求項３９のうちのいずれか１項に記載のエアフィルタカートリッジ。
【請求項４１】
（ａ）前記濾材積層体はインナーライナを含むことを特徴とする請求項３２乃至請求項４０のうちのいずれか１項に記載のエアフィルタカートリッジ。
【請求項４２】
（ａ）前記濾材積層体は、前記第１端部キャップから前記第２端部キャップまで下向方向にテーパ状に延長している円錐形状に構成されたひだ付き濾材を含み、
（ｂ）前記シール部材は、外側に向けられた半径方向のシール部材であり、
（ｃ）前記受け溝の外壁は、内側に凸部と内側に凹部を繰り返す曲がりくねった形状を持つことを特徴とする請求項４１に記載のエアフィルタカートリッジ。
【請求項４３】
（ａ）前記受け溝の前記外壁は、８つの内側に凸部と、８つの内側に凹部とを持つことを特徴とする請求項４２に記載のエアフィルタカートリッジ。
【請求項４４】
エアクリーナ用アセンブリであって、
（ａ）ハウジング本体とアクセスカバーとを含むハウジングであって、
（i）前記ハウジング本体が、側壁と中央カートリッジ支持体を含み、
（ii）前記側壁は、ハウジング本体の内部空間と開いている端部とを画定し、
（iii）前記端部の壁は、そこを通過する空気流の開口部を画定し、
（iv）前記中央カートリッジ支持体は、支持体基部から前記ハウジングの開いている端部に向かって伸びており、
（Ａ）前記中央カートリッジ支持体は、前記支持体基部から遠く離れている支持体端部を持ち、
（Ｂ）前記支持体端部は、第２の中央突起物を取り囲みかつ前記第２の中央突起物から間隔を開けて配置されておりかつ前記第２の中央突起物との間で支持体端部の受け部容空間を画定する第１のリング状の突起物を含む、前記ハウジングと、
（ｂ）前記ハウジング本体の内部空間に配置された、少なくとも請求項３３乃至請求項４３のうちの１つに記載された点検可能なエアフィルタ用第１カートリッジであって、
（i）前記エアフィルタ用第１カートリッジ上のハウジングシール部が、前記ハウジングの一部にシールされており、
（ii）前記中央カートリッジ支持体が、前記第１端部キャップの開いている開口部を通って前記開いているフィルタ内部空間に突出しており、
（iii）前記中央支持体の前記支持体端部上の前記第１のリング状突起物は、前記第２端部キャップに向かって突出しており、
（iv）前記ハウジング本体の中央カートリッジ支持体の前記支持体端部上の前記第２の中央突起物が、第２端部キャップの前記中央受け部中に突出している、前記点検可能なエアフィルタ用第１カートリッジと、
（ｃ）前記ハウジング本体の前記開いている端部上に固定されており、第１のリング状突起物を持つ内面を含む、前記アクセスカバーと、
を有することを特徴とするエアクリーナ用アセンブリ。
【請求項４５】
エアクリーナ用アセンブリであって、
（ａ）ハウジング本体とアクセスカバーとを含むハウジングであって、
（i）前記ハウジング本体が、側壁と開いている端部とを含み、
（ii）前記ハウジングが、その中を通る空気流れの開口部を画定し、
（iii）前記ハウジング本体が、ハウジング本体の内部空間を画定する、前記ハウジングと、
（ｂ）前記ハウジング本体の内部空間中に配置された、点検可能なエアフィルタ用第１カートリッジであって、
（i）開いているフィルタ内部空間を取り囲こみ、第１端部キャップと第２端部キャップの間で伸びている濾材積層体を含み、
（ii）前記第１端部キャップが、その中に中央開口部を持ち開いている端部キャップであり、
（iii）ハウジングシール部が、前記第１端部キャップ上に配置され、
（iv）前記第２端部キャップは、閉じた端部キャップであり、かつその中に受け溝を持つ外面を含み、
（Ａ）前記受け溝は、２５ｍｍ未満の距離で間隔をあけて配置されている半径方向の内壁と半径方向の外壁とによって画定され、
（Ｂ）前記受け溝は、前記濾材積層体から半径方向の内側に少なくとも２０ｍｍの距離で間隔をあけて配置されている、前記点検可能なエアフィルタ用第１カートリッジと、
（ｃ）前記ハウジング本体の前記開いている端部上に固定され、第１のリング状突起物を持つ内面を含む、前記アクセスカバーであって、
（i）前記第１のリング状突起物が、前記エアフィルタ用第１カートリッジの前記第２端部キャップ上の前記受け溝に突出する状態で配置されており、
（ii）前記第１のリング状突起物が、曲がりくねった内面と外面とを持つ曲がりくねった突起物である、前記アクセスカバーと、
を有することを特徴とするエアクリーナ用アセンブリ。
【請求項４６】
（ａ）前記受け溝の半径方向の内壁と外壁のうちの少なくとも１つは、曲がりくねった壁であることを特徴とする請求項４５に記載のエアクリーナ用アセンブリ。
【請求項４７】
（ａ）前記受け溝の半径方向の内壁と外壁の両方は、曲がりくねっていることを特徴とする請求項４５または請求項４６に記載のエアクリーナ用アセンブリ。
【請求項４８】
（ａ）前記アクセスカバーの内面上の曲がりくねったリング状突起物は、エアフィルタ用第１カートリッジの前記第２端部キャップ上の受け溝中に、回転しないように収容されていることを特徴とする請求項４５乃至請求項４７のうちのいずれか１項に記載のエアクリーナ用アセンブリ。
【請求項４９】
（ａ）前記第２端部キャップの外面は、前記受け溝によって取り囲まれたから外側へ突出する突起物を含んでおり、
（ｂ）前記アクセスカバーの内面は、前記エアフィルタ用第１カートリッジ上の前記中央突起物中に受け部を含むことを特徴とする請求項４５乃至請求項４８のうちのいずれか１項に記載のエアクリーナ用アセンブリ。
【請求項５０】
エアクリーナ用アセンブリであって、
（ａ）内部空間を画定し、空気の流入口と空気の流出口とを持つハウジングであって、
（i）前記ハウジングが、その上に配置される取り外し可能なアクセスカバーを持つ点検用のアクセス端部を画定し、
（ii）前記アクセスカバーは、その上に前記アクセスカバーから前記ハウジングの内部空間に伸びている曲がりくねった中央突起物を含む、前記ハウジングと、
（ｂ）前記アクセスカバーの反対側の前記ハウジングの端部から前記アクセスカバーに向かって突出する中央カートリッジ支持体であって、
（i）前記アクセスカバーの反対側の前記ハウジングの端部から遠く離れている第１端部を持ち、前記中央カートリッジ支持体の第１端部は、前記アクセスカバーに向かって伸びている、中央突起物を取り囲む受け溝を含む、前記中央カートリッジ支持体と、
（ｃ）前記ハウジングの内部空間中に取り外し可能に配置されている、エアフィルタカートリッジであって、
（i）第１端部と第２端部を持ち、開いている内部空間を取り囲む濾材を含む濾材積層体と、
（ii）前記濾材積層体の第１端部上に配置された第１端部キャップと、
（Ａ）前記第１端部キャップは、その中に中央開口部を持ち、
（iii）前記ハウジングに取り外し可能にシールされた、前記第１端部キャップ上のシール部材と、
（iv）前記濾材積層体の第２端部上に配置された第２端部キャップと、を有する前記エアフィルタカートリッジと、
を有することを特徴とするエアクリーナ用アセンブリ。
【請求項５１】
エアクリーナ用アセンブリのための第２のフィルタカートリッジであって、
（ａ）第１端部と、第２端部と、前記第１端部から前記第２端部まで下向方向にテーパ状となっている円錐形状と、を持つ多孔性の側壁と、
（ｂ）前記濾材に隣接して配置された濾材と、
（ｃ）中央開口部を持ち、前記多孔性の側壁の前記第２端部上に配置されている第１端部キャップと、を有し、
（i）前記多孔性の側壁の前記第１端部が、前記第１端部キャップ上に端部キャップを持っていない、
ことを特徴とする第２のフィルタカートリッジ。
【発明の詳細な説明】
【技術分野】
【０００１】
本開示は、カートリッジ用に内部及び外部の支持体を持つエアクリーナの配置物、コンポーネントおよび方法に関する。
【背景技術】
【０００２】
本出願は、米国以外の全ての国を指定国とする出願人である米国国内企業であるドナルドソン会社と、米国のみを指定国とする出願人である、全てベルギー人であるミシェル・バセオトー、ロベルト・メルクス、ジュリアン・ディルス、ポール・R・クーロンボウクスの名において、国際特許出願として２００８年７月１２日に出願されたものであり、２００７年７月２０日に出願された米国仮特許出願第６０/９６１,５２１号と２００８年４月３０日に出願された米国仮特許出願第６１/１２６,２２２号の優先権を主張するものである。
【０００３】
エアクリーナは、さまざまな乗り物およびトラック、バス、路外の建設用機器、農業機器、発電機セットなどの他の装置の内燃機関エンジンの燃焼吸気をろ過するために使用される。そのようなエアクリーナは、通常は、その中に配置された取り外し可能で取替え可能なメインフィルタカートリッジを持つハウジングを含む。ハウジングは、整備点検のために、内側に収容されたフィルタカートリッジへの選択されたアクセスのための点検またはアクセスカバーを含む。フィルタカートリッジは、通常は、取り外された後、工場からの新しいカートリッジと取り替えることによって、または、洗浄して再設置することによって、または、前に使用された洗浄していないカートリッジと取り替えることによって、点検整備される。
【０００４】
点検可能なフィルタカートリッジを持つエアクリーナの配置に関連する問題点は、適切な取り付けとシールを確実にすること、意図しない動きまたは運動に対してエアクリーナ中のフィルタカートリッジを適切に支持すること、および／または、エアクリーナハウジングがフィルタカートリッジの不適切な取り付けに対して確実に保護されていること、を含む。
【発明の概要】
【発明が解決しようとする課題】
【０００５】
これらの問題点に向けられたエアクリーナ用アセンブリとそのフィルタカートリッジの改良について、本明細書に記載する。
【課題を解決するための手段】
【０００６】
したがって、本開示では、エアクリーナの配置物とコンポーネントを提供する。図示したエアクリーナの配置物は、複数の特徴を含む。エアクリーナ用アセンブリ、および／または、コンポーネントがいくつかの利点を得るために、本明細書で特徴付けられた特徴の全てを含むという特別な必要性は全くない。
【０００７】
第１のフィルタカートリッジを取り付ける間に、開いているカートリッジ内部空間に伸びるようにハウジングに取り付けられているカートリッジ支持体によって、第１のフィルタカートリッジ用の内部空間の支持体を提供する例示のエアクリーナ配置物を図示する。内部空間の支持体は、２次あるいは安全フィルタ用の濾材支持体として使用することができる。フィルタカートリッジとカートリッジ支持体との係合によって、フィルタカートリッジの閉じた端部で片持ちばりの支持と、フィルタカートリッジとカートリッジ支持体との間で回転しない支持と、の両方を提供するように選択することができる。
【０００８】
アクセスカバーは、フィルタカートリッジの閉じた端部と係合するように提供される。アクセスカバーは、片持ちばりの支持と、回転しないカートリッジの支持と、の両方を可能にする構造物の配置を提供することができる。
【０００９】
本明細書では、エアクリーナで使用するコンポーネントを記載する。記載した例示のコンポーネントは、第１のフィルタカートリッジ、オプションの第２のフィルタカートリッジ、およびアクセスカバーを含む。
【００１０】
例示の第１のフィルタカートリッジを提供する。第１のフィルタカートリッジは、開いた第１端部キャップから遠く離れている第２端部キャップまたは閉じた端部キャップを含む。第２端部キャップは、受け溝を、通常は、曲がりくねった受け溝をその中に持つ外面を含む。別の表面もまた、アクセスカバー上の受け部中に伸びている突起物とともに提供することができる。
【００１１】
第２端部キャップの内面は、カートリッジ支持体と係合するように構成されている。第２端部キャップの内面は、カートリッジ支持体によって第２端部のフィルタカートリッジの片持ちばりの支持と、フィルタカートリッジとカートリッジ支持体との間の回転しない係合と、のうちの１つまたは両方を提供するように構成することができる。
【００１２】
本開示の別の態様では、シール突起物を持ち開いている端部をその上に含むフィルタカートリッジを提供する。シール支持体は、シール突起物中に埋め込まれている。例示では、シール突起物は、空気流れの開口部を持つ端部キャップの残りの部分と一体となっている。図示した特別の例では、シール支持体はインナーライナと一体となっており、インナーライナは、濾材支持体の周囲に提供される。また、インナーライナは、濾材積層体の肩部を含むことができ、濾材積層体の肩部に対して濾材積層体が配置されている。
【図面の簡単な説明】
【００１３】
【図１】本開示のエアクリーナ用アセンブリの概要を示す側面図である。
【図２】図１のエアクリーナ用アセンブリのアクセス端部の斜視図である。
【図３】アクセスカバーに向かって得られる図１のエアクリーナ用アセンブリの概要を示す端面図である。
【図４】図１〜図３のエアクリーナ用アセンブリの概要を示す分解斜視図である。
【図５】図３の線５−５に沿って得られる図１〜図４のエアクリーナ用アセンブリの概要を示す断面図である。
【図５Ａ】図５の第１の選択された部分の部分拡大断面図である。
【図５Ｂ】図５の第２の選択された部分の部分拡大断面図である。
【図６】図６は本明細書に記載された特徴を含むエアクリーナ用アセンブリの第２の実施例の概要を示す分解斜視図である。
【図７】図６で示すエアクリーナ用アセンブリのアクセスカバー端部の概要を示す端面図である。
【図８Ａ】図５で示すエアクリーナ用アセンブリの一部の概要を示す断面図であり、内部の支持体を持ち、かつ取り付けられた中央フィルタカートリッジまたは取り付けられた安全フィルタが無い状態で、かつ取り付けられたアクセスカバーが無い状態のハウジングを示す図である。
【図８Ｂ】図８Ａと別の場所で得られた図８Ａに類似するエアクリーナ用アセンブリの一部の概要を示す断面図である。
【図９】図８Ａと図８Ｂで示したコンポーネントの概要を示す斜視図である。
【図１０】図１と図６のエアクリーナ用アセンブリで使用可能なフィルタカートリッジの概要を示す拡大側面図であり、フィルタカートリッジを部分的に断面図で示した図である。
【図１１】図１０のフィルタカートリッジの閉じた端部キャップ部材の拡大断面図である。
【図１２】図１１の閉じた端部キャップ部材の概要を示す外面の端部図であり、図１２の線１１−１１は、図１１の断面を示す図である。
【図１３】図１１の端部キャップ部材の内面を示す概略図である。
【図１４】図１２で示された端部キャップ部材の外面の一部の概要を示す部分拡大図である。
【図１５】図１３で示された端部キャップ部材の内面の一部の概要を示す部分拡大図である。
【図１６】図１と図６のエアクリーナ用アセンブリで使用可能なアクセスカバーの概要を示す拡大端面図である。
【図１７】図１６の線ライン１７-１７に沿って得られる概要を示す断面図である。
【図１８】図１６と図１７のアクセスカバーの内面の一部の部分図である。
【図１９】図１８の内面の一部の部分拡大図である。
【図２０】本開示のエアクリーナ用アセンブリの第３の実施例の概要を示す端面図である。
【図２１】図２０の線２１−２１に沿って得られる概要を示す断面図である。
【図２２】図２１で示すエアクリーナ用アセンブリの概要を示す部分拡大断面図である。
【図２３】図２０で示すエアクリーナ用アセンブリのハウジング本体コンポーネントの概要を示す拡大断面図であり、図２０の線２１−２１に沿って得られる図である。
【図２４】図２３の一部の概要を示す部分拡大断面図である。
【図２５】図２３のハウジング本体の正面図である。
【図２６】図２０と図２１で示したエアクリーナ用アセンブリのフィルタカートリッジ・コンポーネントの概要を示す拡大断面図である。
【図２７】図２６の一部の概要を示す拡大断面図である。
【図２８】図２１のエアクリーナ用アセンブリで使用可能なアクセスカバー・コンポーネントの側部の断面図である。
【図２９】図２６で示されるフィルタカートリッジのインナーライナ部材の概要を示す拡大断面図である。
【図３０】図２９で示される部分の部分拡大図である。
【図３１】図３０で示されるインナーライナ部材・コンポーネントの斜視図である。
【発明を実施するための形態】
【００１４】
Ｉ.例示のアセンブリ
図１の符号１は、本開示の例示のエアクリーナ用アセンブリを一般的に示したものである。エアクリーナ用アセンブリ１は、ハウジング本体３とアクセスカバー４とを有するハウジング２を含む。アクセスカバー４は、接続配置物７によってハウジング本体３上の適所に固定されている。示された例では、接続配置物７は、複数のラッチ８を含む。
【００１５】
ハウジング本体３は、開いている第１端部１０ａを持つ側壁１０を含み、第１端部１０ａにアクセスカバー４が取り付けられている。ハウジング側壁は、第１端部１０ａに対向する第２端部１０ｂを含む。第２端部１０ｂは、空気流の開口部または空気流の開口ポート１２を持つハウジング側壁１１をその上に含む。ハウジング端部壁１１は、通常は、側壁１０から取り外し可能ではなく、ある場合には、側壁１０と一体成形されている。通常の例では、アクセスカバー４とハウジング本体３は、選択された形状に成形されたガラス充填ポリプロピレンを含む。
【００１６】
一般に、アクセスカバー４は、接続配置物７（すなわち、ラッチ８）を外すとき、アクセスカバー４をハウジング本体３から取り外すか、または端部１０ａを通してハウジング本体３の内部空間にアクセス可能にする位置に移動することができる方法で取り付けられる。図１で図示された特別の例示のエアクリーナ用アセンブリ１において、アクセスカバー４は、ラッチ８によりハウジング本体３に取り外し可能に取り付けられている。
【００１７】
エアクリーナ用アセンブリ１は、さらに、ハウジング２の内部空間と空気流が連通する空気流のポートまたは空気流の開口部１５を含む。示された特別の例では、空気流の開口部１５は、側壁１０の空気流入部であり、空気流の開口ポート１２は、空気流出部である。但し、代替手段は可能である。
【００１８】
また、図１を参照すると、ハウジング本体３は、取付配置物２０をその上に含む。エアクリーナ用アセンブリ１は、使用の間に取付配置物２０によって、取付装置の上に、例えば、乗り物のフレームあるいは装置のフレームなどの上に固定することができる。図示された特別の取付配置物２０は、複数の取付用パッド２１を含む。
【００１９】
取付用パッド２１は、エアクリーナ用アセンブリ１を使用する装置のフレームあるいは他の部分に便利に固定するために、ハウジング本体２上の様々な場所に配置することができる。取付用パッド２１は、全て使用するわけではないようなさまざまな位置に配置することができるが、使用される配置は、装置の特別な形状に依存することが注目される。したがって、ハウジング本体２は、選択された取り付けにおいて、実際に使用しない取付用パッド２１を含んでもよい。
【００２０】
図１において、図示された例示の配置物の例示の寸法は、ＡＡ＝６０７ｍｍ、ＡＢ＝３４６.１ｍｍ、ＡＣ＝１７４.５ｍｍ、ＡＤ＝３６６.６ｍｍ、ＡＥ＝１０２ｍｍである。もちろん、本開示の原理は、さまざまな大きさのユニットに適用することができ、寸法は、単に例を示すものである。
【００２１】
図２を参照すると、エアクリーナ用アセンブリ１は、アクセスカバー４と入口開口部１５に向かう方向に斜視図で示されている。また、ハウジング２、例えば、側壁１０は、取り付けの時に、あるいは、取り付けの向きに、エアクリーナ用アセンブリ１の取付装置の多様性を可能にするさまざまな配置の取付用パッド２１とともに、提供することができる。
【００２２】
また図２を参照すると、図示されたエアクリーナ用アセンブリ１は、吸引バルブ配置物２５をその上に含む。吸引バルブ配置物２５は、使用時に、水、および／または、あらかじめ分離されたダストをハウジング２の内部空間２ｉから排出することができるダイアフラムあるいは他のバルブ部材を含む。
【００２３】
また図２を参照すると、アクセスカバー４は、周囲リム３０と端面３１とを含むことが着目される。端面３１は、外側に向いている中央突起物３３をその上に持つ中央のくぼみ３２を含む。これらの特徴は、以下でさらに説明される。
【００２４】
図３に、アクセスカバー４に向かって得られるエアクリーナ１の端面図を示す。エアクリーナ１を取り付けるとき、通常は、吸引バルブ配置物２５を下向きに向ける。したがって、図３の端面図は、一般的な通常の取り付け配置である。
【００２５】
図３では、図示された例示システムのための例示の寸法と角度は、ＢＡ＝１２０°、ＢＢ＝３０°、ＢＣ＝１０ｍｍ、ＢＤ＝１７８ｍｍ、ＢＥ＝３０°、ＢＦ＝１４６.３ｍｍ、ＢＧ＝１８５.５ｍｍ、ＢＨ＝３１.７ｍｍ、およびＢＩ＝２４６.５ｍｍである。
【００２６】
ここで、エアクリーナ用アセンブリ１を分解図で示す図４に着目する。図１のエアクリーナ用アセンブリ１の内部空間に収容されたコンポーネントを見ることができる。特に、第１のフィルタカートリッジ４０を見ることができる。また、オプションの安全フィルタ４１が示される。最後に、エアクリーナ用アセンブリ１を組み立てるとき、アクセスカバー４とハウジング本体３との間に配置されるＯリング４２が示される。
【００２７】
図５は、エアクリーナ用アセンブリ１の断面図を示し、選択された内部構造の詳細を見ることができる。一般に、ハウジング２は、エアフィルタ用の第１カートリッジあるいは第１のカートリッジ４０を収容するハウジング内部空間２ｉを画定する。空気は、入口（空気流入部）１５を通って内部空間２ｉに入り、エアフィルタカートリッジ４０を取り囲む空気流環部４５に送出される。空気は、ろ過の間、エアフィルタカートリッジ４０に外から内（out-to-in）への流れパターンで導かれる。一般に、エアフィルタカートリッジ４０は、空気ろ過用濾材５１をその中に持つ濾材積層体５０を含む。濾材積層体５０を通過するときに、空気はろ過される。ろ過された空気は、内部空間のカートリッジ支持体５５を通り、次に、外方向に出口（空気流出部）１２を通る。
【００２８】
内部空間のカートリッジ支持体５５は、いくつかの応用において、オプションの安全フィルタ４１の濾材４１ａによって取り囲まれている。そのような応用では、空気は、カートリッジ支持体５５中に入り、安全フィルタ４１の濾材４１ａを通過する。安全フィルタまたは第２のフィルタを必要としない応用では、安全フィルタ４１を外すことができる。
【００２９】
「前進する流れ」の配置における一般的な記載を提供する。「前進する流れ」により、ろ過の間に、空気流れは、第１のエアフィルタカートリッジ４０の外側から濾材積層体５０によって画定され開いている内部空間６０まで通過する（すなわち、外から内）ことを意味する。本明細書に記載される選択された原理は、ろ過の間、流れの向きが逆である代替の配置あるいは逆の流れの配置に適用することができる。すなわち、逆の流れの配置では、ろ過の間、空気流れは、内部領域６０から濾材積層体５０を通る。
【００３０】
通常のエアクリーナでは、入口開口ポート（空気流入部）１５は、構造１５ａ（および構造１２ａによって取り囲まれている出口開口ポート（空気流出部）１２）によって取り囲まれている。使用のために構造１５ａにダクトワークまたは他の流路装置を取り付けることができる。
【００３１】
図５では、エアクリーナ用アセンブリ１は、便宜上、その上に取り付けられたラッチ８を省いて示していることが注意される。
【００３２】
また図５を参照すると、エアフィルタ用第１カートリッジ４０は、サービスコンポーネントであり、内部空間２ｉで、エアフィルタカートリッジ４０やハウジング２に損傷与えずに取り外し可能でかつ取替え可能である。内部空間２ｉへの点検のためのアクセスは、アクセスカバー４を開くことによって提供される。通常は、点検のためのアクセスは、側壁１０の端部１０ａからアクセス４を取り除くことによって行われる。
【００３３】
エアフィルタカートリッジ４０は点検コンポーネントであるので、ろ過されていない空気が出口１２中に流れるのを避けるために、エアクリーナハウジング２中で取り外し可能にシールされる必要がある。このために、ハウジングシール配置物６５をエアフィルタカートリッジ４０に提供する。
【００３４】
より詳しく述べると、濾材積層体５０は対向する端部５０ａ、５０ｂを含む。端部５０ａは、端部キャップ６６に固定されている。示された特別の例では、端部キャップ６６は、適所に成形される端部キャップ６６ａである。これにより、端部キャップ６６が濾材積層体５０上に成形されていることを意味する。適所に成形される端部キャップに使用可能な通常の物質は、米国特許第６、９５５、７０１号、米国特許出願第２００７/００９０４０号、米国特許第７、０７０、６４２号に記載されたような発泡状ポリウレタンであり、それぞれは、参照により本明細書に合体される。
【００３５】
端部キャップ６６は、開いている端部キャップである。すなわち、端部キャップは、貫通する中央開口部６８を含む。中央開口部６８は、エアフィルタカートリッジ４０をエアクリーナのハウジング本体３に取り付ける間、カートリッジ支持体５５の構造と適合する。端部キャップ６６は、シール突起物７０をその上に含む。シール突起物７０は、ハウジング本体３中の受け部ポケット７５中に収容されるような大きさと形状に作られており、ハウジング本体３とハウジングシールを形成する。したがって、突起物７０は、例示に対してハウジングシールまたはシール部材６５を画定する。さらに、示された例では、シール突起物７０は、端部キャップ６６の残りの部分と一体成形されている。
【００３６】
また図５を参照すると、シール支持体部材７０ａがシール突起物７０中に埋め込まれている。シール支持体部材７０ａは、堅い構造部材であり、シール突起物７０中に埋め込まれることによって、シール突起物７０によって形成される半径方向の外側に向いたシールを支持する。シール支持体部材７０ａは、エアフィルタカートリッジ４０のインナーライナ７１との一体構造を含むことができる。あるいは、シール支持体部材７０ａは、シール突起物７０中に埋め込まれた分離した部材であり得る。
【００３７】
濾材積層体５０の端部５０ｂは、第２の端部キャップ８０をその上に含む。第２の端部キャップ８０は、閉じた端部キャップである。閉じた端部キャップは、貫通する中央開口部がないことを意味する。図示した例示の端部キャップ８０は、適所に成形されたものではない。むしろ、最初に（通常は、鋳込み成形により）成形され、次に、例えば、鉢植え用接着剤で濾材積層体５０の端部５０ｂに固定されたプリフォーム８１を含む。端部キャップ８０用の例示の物質は、固いポリウレタンで鉢植えされる鋳込み用ＡＢＳ樹脂である。
【００３８】
図２０〜図３１に示す例示の実施例により以下に示すように、第２の端部キャップ８０は、濾材積層体５０の端部１０ｂにオーバー鋳込みで適所に固定されたプリフォーム部材を含む複合材を含むことができることが注目される。
【００３９】
また図５を参照すると、図示されたエアクリーナ用アセンブリ１は、オプションの安全カートリッジ４１を含む。安全カートリッジ４１は、端部キャップ、端部ピースまたはリング９１と、安全フィルタ濾材４１ａを持つ。安全フィルタ濾材４１ａは、端部リング９１中に埋め込まれている。端部リング９１は、開いている中央開口部９２を含む。端部リング９１は、中央開口部９２によって、カートリッジ支持体５５の一部の周囲と適合することができる。
【００４０】
一般的な用語で、安全フィルタ濾材４１ａは、第１カートリッジ５０とカートリッジ支持体５５の内部空間５５ｉとの間に配置される。したがって、カートリッジ支持体５５の内部空間の５５ｉに到達し、出口（空気流出部）１２を通って外部に向かうために、第１カートリッジ５０からろ過された空気は、安全フィルタ濾材４１ａを通過する。
【００４１】
また図５を参照して、内部空間のカートリッジ支持体５５に注目する。カートリッジ支持体５５は、側部フレーム５５ｓを有する。側部フレーム５５ｓは、基部領域５５ｂ（ハウジング端部１１に隣接する）から対抗する外側の端部５５v（ハウジング側壁端部１０ａに隣接する）まで伸びている。側部フレーム５５ｓは、一般に、貫通する流れ開口部５５ｆを含む。図示した特別の例示のカートリッジ支持体５５は、側部フレーム５５ｓを含む。側部フレーム５５ｓは、長手方向の延長部分５５１のグリッドと半径方向の輪状の交差している延長部分５５ｃとを含む。
【００４２】
示された例に対して、側壁（側部フレーム）５５ｓは、基部領域５５ｂから端部５５ｔまで先細りのテーパ状で伸びている。すなわち、側部フレーム５５ｓは、この領域で一般に円錐形状である。円錐角度ｃ、すなわち、傾斜の内部の鋭角は、通常は、少なくとも１°であり、通常は、少なくとも２°であり、しばしば２°〜１０°の範囲である。
【００４３】
図５を参照すると、カートリッジ支持体５５の基部領域５５ｂは、基部領域５５ｂ中に無孔領域５５ｙを含むことが注目される。
【００４４】
図５に示した特別の例示の配置物（エアクリーナ用アセンブリ）１に対し、カートリッジ支持体５５は、空気流れの開口部１２を画定する管９５と一体成形されている。実は、図示された特別の例示のハウジング本体３は、１つに（プラスチックで）成形されたコンポーネントであり、側壁１０と、入口（空気流入部）１５と、管９５と、カートリッジ支持体５５とを含む。
【００４５】
図５において、例示の寸法は、ＣＡ＝２８５ｍｍ、ＣＢ＝１５７.８ｍｍである。図５において、カートリッジ支持体５５に対する長手方向の中心軸をＸで示す。
【００４６】
ここで、図５の拡大断面図である図５Ａと、図５の第２の拡大断面図である図５Ｂに注目する。
【００４７】
最初に図５Ｂを参照すると、ハウジング本体３は、出口（空気流出部）１２を画定する管９５を含む。管９５を取り囲んで、ハウジング本体３は、シール受け部ポケット９６を画定する。シール受け部ポケット９６は、管９５の外面部９５ｏと外壁９７との間に形成され、シール受け部ポケットの端部は、その間に伸びている壁部９８によって閉じられている。第１カートリッジ５０のハウジングシール（シール突起物）７０は、シール受け部ポケット９６中に押し込まれ、シール受け部ポケットとともにシールを形成する。特に、ハウジングシール７０は、外壁９７に対して半径方向に外側にシール支持体７０、および／または、壁９５ｏによって押されて、外側に向いた周囲部の半径方向のハウジングシール６５を形成する（シール受け部ポケット９６は、図５の受け部ポケット７５に対応する）。
【００４８】
代替のシールは、本開示に一致するカートリッジ、例えば、米国特許第５,５４７,４８０号、米国特許第６,６５２,６１４号、国際特許出願第２００７/０２２１７１号、米国特許第６,０３９,７７８号、米国特許第６,９５５,７０１号と一般的に一致する内部シールを持つカートリッジ等で使用することができる。これらのカートリッジは、本明細書に引用により合体される。例えば、カートリッジ支持体５５の基部領域５５ｂは、これらの参考文献と一般的に一致する内側の半径方向に向いたシールを収容するように構成することができる。
【００４９】
ここで図５Ａを参照すると、側壁（側部フレーム）５５ｓの端部５５ｖを横切って伸びているカートリッジ支持体５５は、端部部材５５ｔを含む。端部部材５５ｔは、閉じている、すなわち、空気の流れが通る通路に対して閉じている、という特別の必要性は全くない。しかしながら、通常の応用において、端部部材５５ｔは、安全カートリッジ４１（が使用される場合に、そ）の濾材４１ａの周りで空気流れのバイパスルートを提供しないように、閉じられている。
【００５０】
エアクリーナ用アセンブリ１に関してさらに詳細に説明する前に、図６と図７に注目する。そこでは、本開示の原理を組み込む代替の実施例を示す。図６を参照すると、エアクリーナ用アセンブリ１０１は、分解図で示されている。エアクリーナ用アセンブリ１０１は、ハウジング本体１０３とアクセスカバー４とを含むハウジング１０２を含む。エアフィルタカートリッジ４０は、ハウジング本体１０３内に配置することができる。オプションの安全フィルタ濾材４１が見える。また、Ｏリング４２が見える。
【００５１】
一般に、エアクリーナ用アセンブリ１０１とエアクリーナ用アセンブリ１との間での唯一の必要な差異は、入口１０７に関するハウジング本体１０３の特別の構成に関するものである。ハウジング本体１０３の入口１０７は、端部ピース１０９とリム１１０とを持つ、入口１０７に取り付けられた入口ダクト１０８を含む。エアクリーナ用アセンブリ１は、このような特徴に関しては、異なって構成されている。
【００５２】
しかしながら、エアフィルタカートリッジ４０に関する交換コンポーネントを含むエアクリーナ１０１の内部の特徴は、同じであり得る。エアクリーナ用アセンブリ１、１０１のそれぞれは、同じアクセスカバー４を使用するように構成することができる。
【００５３】
図７に、アクセスカバー４に向かって得られるエアクリーナ用アセンブリ１０１の端面図を示す。
【００５４】
エアクリーナ用アセンブリ１に戻って、図８Ａに注目すると、図５に類似する（図１〜図５のエアクリーナエアクリーナ用アセンブリ１の）ハウジング本体３の断面図を示す。但し、アクセスカバー４とエアフィルタカートリッジ４０と安全エレメント４１は、図示しない。また、図１に関連するラッチ８は、図８Ａのハウジング本体３上には示していない。また、図８Ａでは、吸引バルブ２５（図１）は、図８のハウジング本体３上に配置していない。しかしながら、吸引バルブ２５を使用するために配置する吸引開口部２５ａが見える。
【００５５】
断面図の図８Ａは、中央カートリッジ支持体５５の中央を通るものではなく、むしろわずかに中央から観察者に向かう方向であることが着目される。一方、図８Ｂは、類似の断面図であるが、中央カートリッジ支持体５５の中心を通って得られたものである。
【００５６】
一般に、図８Ａ、８Ｂで見える構造（ハウジング本体３）は、１つの成形された構造のピースを含む。もちろん、代替物で組み立てることができる。通常の応用では、カートリッジ支持体５５を含むハウジング本体３は、プラスチックから１つの一体ピースとして作られるだろう。
【００５７】
図８Ａを参照して、カートリッジ支持体５５上の端部部材５５ｔに注目する。端部部材５５ｔは、再び基部領域５５ｂに対抗して配置される。端部部材５５ｔは、出口１２から開口端部１０ａに向かって離れる方向に突出する。実際に、図８Ａのハウジング本体３に対して示された例示を含む、本明細書に記載された、いくつかの技術の応用において、端部部材５５ｔの一部は、設置するとき、側壁１０の開口端部１０ａを超えて、端部壁１１と出口１２に対向する方向に、すなわち、アクセスカバー４に向かう方向に、外側に突出することができる。
【００５８】
図示された例示に関して、端部部材５５ｔは、第１（周辺リング）突起物１２５と第２（中央）突起物部材１２６の２つの突起物の部分を含む。それぞれの突起物部１２５と突起物部１２６は、ハウジング端部１１から離れる方向で、隣接する端部部材５５ｔの一部から軸方向に離れる位置で突出している。この文脈で「軸方向」によって、突起物は、長手方向の軸Ｘと一般的に同じ方向であることを意味する。示された例示に対して、第１（リング状）突起物１２５は、第２突起物１２６の周囲に伸びる外面くぼみ領域１３０によって第２（中央）突起物１２６から離れて配置されている。また、示された例示では、第２リング状突起物１２５は、連続していてかつ中央突起物１２６を外接している（取り囲んでいる）。
【００５９】
端部部材５５ｔは、外面５５ｘと内面５５ｚを含む。くぼみ１３０は、外面５５ｘ中にある。
【００６０】
本明細書で、突起物が「軸方向」にある、または「軸方向に」伸びると言う場合、突起物は、必ず長手方向の中心軸Ｘと完全に同じ直線上にあることを意味しない、むしろ、同じ長手方向に一般的にあることを意味する。
【００６１】
図示された特別の例では、中央突起物１２６は、円錐形状であり、軸Ｘに対して垂直な平面で円形の断面を持つ。より詳しくいうと、中央突起物１２６は、円錐状の側壁１２６ｓを持ち、中央突起物１２６は、先端１２６ｔに向かって内側にテーパ状となっている。しかしながら、先端１２６ｔは、円錐の先端がいくらか切られていて、必ずしも鋭くとがった先端かまたは完全に平らな端部となるわけではない。
【００６２】
図８Ａを参照すると、得られた断面は、中央突起物１２６を通過するものでなはく、むしろ中央突起物１２６から観察者に向かって配置されるカートリッジ支持体５５の一部を通っている断面であることが注目される。図８Ａにおいて、いくつかの例示の寸法は、ＤＡ＝３３２.６ｍｍ、ＤＢ＝３２２.４ｍｍ、ＤＥ＝１７４.５ｍｍ、ＤＦ＝１.５ｍｍ半径、ＤＧ＝６３.８ｍｍ、ＤＨ＝２５.１ｍｍ、ＤＪ＝５ｍｍ半径、ＤＫ＝３.２ｍｍ、ＤＬ＝２９.２ｍｍ、ＤＩ＝２５.３ｍｍである。
【００６３】
図８Ｂに、図８Ａに類似する第２の断面図を示すが、この例は、中央突起物１２６の中央線を通って得られる図である。図８Ｂを参照すると、中央突起物１２６は、端部１１から軸方向に離れて突出する中空内部空間１２６ｉによって画定されることを理解することができる。また、図８Ｂを参照すると、第２のリング状突起物１２５は、端部１１から軸方向に離れて突出する中空の内部空間１２５ｉを持つものとして理解することができる。
【００６４】
より一般的な用語において、カートリッジ支持体端部５５ｔは、外面５５ｘと内面５５ｚを持つ。例示のカートリッジ支持体端部５５ｔは、外面５５ｘ、内面５５ｚの両方に輪郭が描かれている。例示の形状は、くぼみ１３０によって第２のリング状突起物１２５から外面５５ｘまで間隔をあけて配置されている（例示では、円錐状の）中央突起物１２６がある形状である。内面５５ｚは、表面１３１ｉによってくぼんだリング１２５ｉから間隔をおいて配置された（例示で示される円錐の）中央外側突起物のくぼみ１２６ｉを持って画定され、表面１３１ｉが一般的に端部壁１１に向かって突出しており、くぼみ１２５ｉ、１２６ｉが端部壁１１から離れる方向に突出しているという観測に基づく結果を残す。
【００６５】
第２のリング状突起物１２５は、図８Ｂの外側の周辺表面１２５ｃを含む。示された例に対して、外側の周辺表面１２５ｃは、円形の周辺部を画定する滑らかで等高線でない表面であり、従って、一般的に円筒状形状を持つ。円筒状表面（外側の周辺表面）１２５ｃは、いくつかの応用では、端部壁１１から離れる方向に延長部分中でわずかに内側にテーパ状となっているかもしれない。端部部材５５ｔは、外側の周辺表面１２５ｃの基部端部から半径方向の外側に突出している周囲部の肩部５５ｐを含む。外側の周辺表面１２５ｃは、使用されるとき、図５の安全エレメント４１の端部キャップ９１で開口部９２を貫通して突出するように画定される。肩部５５ｐは、オプションの安全エレメント４１が取り付けられるとき、隣接する端部キャップ９１を収容するような大きさで作られて配置されている。
【００６６】
図８Ｂを参照すると、例示の寸法は、ＥＡ＝５２３.２ｍｍ、ＥＢ＝１０ｍｍ、ＥＣ＝４０ｍｍ、ＥＤ＝４°の円錐角度、ＥＥ＝８８.５ｍｍ、ＥＦ＝１１０.６ｍｍ、ＥＧ＝１７４.５ｍｍ、ＥＨ＝２９４.６ｍｍである。
【００６７】
ここで、図９に注目する。図９に開いている端部１０ａに向かって得られるハウジング本体３（図８Ａ、８Ｂ）の斜視図を示す。図９では、中央カートリッジ支持体５５が見える。特に、カートリッジ支持体５５の端部部材５５ｔを見ることができる。中央突起物１２６は、くぼみ１３０によって取り囲まれているのを見ることができる。また、外側の円形壁１２５ｃと対抗する内壁１２５ｘとを含む外側の（第２のリング状）突起物１２５も見ることができる。
【００６８】
中央突起物１２６、凹んでいる表面１３０、および第２のリング状突起物１２５は、端部部材５５ｔの外面５５ｘ中の受け部くぼみ１３０ｘを集合的に画定する。受け部くぼみ１３０ｘは、以下で議論するように、取り付けの間に、第１エアフィルタカートリッジ４０上の対応する突起物部材を収容するために配置されている。
【００６９】
一般的な用語で、端部部材５５ｔの外面５５ｘは、第１カートリッジ５０と中央カートリッジ支持体５５との間の係合を提供する第１の突起物/受け部配置物の第１の部材を画定する。以下の記載から理解されるように、中央突起物１２５、第２のリング状突起物１２６は、対応する第１のエアフィルタカートリッジ４０の受け部部分に突出しており、第１エアフィルタカートリッジ４０の部分は、カートリッジ支持体５５上の受け部くぼみ１３０ｘ中に突出している。
【００７０】
図示された例示のアセンブリに対して、第２のリング状突起物１２５の内壁１２５ｘは、外側にカーブする凹状部１３４と内側に突出している凸状部分１３５を交互に持つ曲がりくねった表面形状を持つことを理解することができる。
【００７１】
本明細書で表面または壁の定義に関して「曲がりくねった」という用語が使用されているとき、円形の定義を画定する表面ではなく、むしろ表面に凸状と凹状とを交互に含む表面を言うことを意味する。
【００７２】
特別の例示の曲がりくねった壁面（内壁）１２５ｘに対して、８つの凹部１３４は、中央突起物１２６の周囲の内壁１２５ｘの延長部分で、８つの凸部１３５によって分離されている。図示した例示に対するそれぞれの凹部１３４は、他の凹部と同じ形状と大きさである。それぞれの凸部１３５は、他の凸部と同じ形状と大きさに作られている。したがって、８つの花弁（ペタル）配置物は、内壁１２５ｘによって画定される。特別の例示の図示した曲がりくねった壁面（内壁）１２５ｘと花弁（ペタル）配置物に対して、８つ折りの回転対称性を持つ。すなわち、各花弁（ペタル）は、互いに同じ大きさと形状であり、花弁（ペタル）は、半径方向に間隔をあけて均等に配置されている。この文脈において、「８つ折りの回転対称性」という用語は、中心軸の周りに回転することができる、８つの半径方向に均等に間隔をあけて配置されている配置であって、形状がそれ自体の形状と直線上に並ぶことができる配置を持つ形状の定義について言うために使用することができる。したがって、八角形は、８つ折りの回転対称性があり、一方、（対照的に）正方形では、４つ折りの回転対称性がある。
【００７３】
より一般的な用語で、曲がりくねった表面１２５Ｘは、凸部と凹部を交互に持つ。通常は、少なくとも３つの凹部、通常は、少なくとも５つの凹部、通常は、６〜１０個の凹部を持つ。
【００７４】
ここで、図１０を注目する。図１０で図示するエアフィルタカートリッジ４０は、エアクリーナ用アセンブリ１と別に示す。図１０では、内部空間の詳細の理解を容易にするために、エアフィルタカートリッジ４０の一部を断面で示す。
【００７５】
図１０を参照すると、エアフィルタカートリッジ４０は、濾材積層体５０を含む。濾材積層体５０は、空気のろ過用濾材５１を含む。さまざまな種類の濾材をエアフィルタカートリッジ４０に対して使用することができる。図示した特別の例示の濾材５１は、内側のプリーツ先端部５１ｐと外側のプリーツ先端部５１ｏを持つひだ付き濾材を含む。濾材５１は、対向する第１の濾材端部５１ａおよび第２の濾材端部５１ｂの間に伸びている。ひだ付き濾材５１は、空気ろ過のために使用するさまざまな濾材の中から選択することができる。濾材５１に対する特別な効率と物理的な操作上の周辺部は、意図された応用に対する選択の問題である。一般に、知られている濾材を使用することができる。
【００７６】
濾材積層体５０は、外側の周辺部５０ｏと内側の周辺部５０ｉを画定する。外側の周辺部５０ｏは、外側のプリーツ先端部５１ｏによって画定される。接着剤ビーズ１４０は、螺旋状パターンで外側のプリーツ先端部５１ｏの周囲に伸びている。接着剤ビーズ１４０は、プリーツの間隔を維持するのを補助し、プリーツ支持体を提供する。
【００７７】
濾材積層体５０は、さらに、図５のインナーライナ７１に対応するインナーライナ１４１を含む。インナーライナ１４１は、内側のプリーツ先端部５１ｐに沿った濾材５１支持体ライナである。インナーライナ１４１は多孔性であり、プラスチックあるいは金属構造物を含むことができる。図示した特別の例示のカートリッジに対して、インナーライナ１４１は、複数の長手方向または軸方向の細長片１４１ｘと、交差するまたは半径方向のフープまたは細長片１４１ｃと、を含むプラスチック構造物である。
【００７８】
本明細書に記載された技術のいくつかの応用において、濾材積層体５１は、外側のライナ、例えば、プラスチックまたは金属ライナを含むことができる。
【００７９】
濾材５１の端部５１ａでは、濾材積層体５０（すなわち、濾材５１とインナ−ライナ１４１）は、端部キャップ６６に埋め込まれている。また、端部キャップ６６は、通常は、ハウジングのシール部材６５と一体成形されて適所に成形された（molded-in-place）端部キャップ６６ａであり、示された例では、シール突起物７０を含む。シール支持体７０ａは、また、再びシール突起物７０中に埋め込まれている。
【００８０】
ハウジングのシール部材７０は、取り付けの間、図８Ａの外壁９７に対して圧縮によりポケット９６中への挿入を容易にするために、階段状かテーパ状部７０ｔを有するように構成された外側の（周囲部）のシール表面７０ｏを含む。図５Ｂが参照される。
【００８１】
また図１０を参照すると、図示された例ではプリフォーム８１を含む端部キャップ８０に注目する。この文脈の「プリフォーム」によって、例示の端部キャップ８０は、（例えば、成形プラスチックから）形成され、次に、濾材積層体５０がその中に、接着剤と共に鉢植えにされて成形される。通常の物質は、固いポリウレタンで鉢植えに成形されるＡＢＳ成形である。例示の端部キャップ８０は、外側の周囲部リム１５０と外側の端部リング部１５１と中央のくぼみ１５２を含む。
【００８２】
エアフィルタカートリッジ４０を組み立てるとき、濾材積層体５０は、外側の周囲部リム１５０と中央のくぼみ１５２との間に形成されるくぼみ１５５中に突出するように配置することによって、端部キャップ８０中に鉢植え成形される。リム１５６は、成形の間、濾材積層体５０に対する円形の支柱リムとなる。
【００８３】
図１０を参照すると、くぼみ１５５は、外側の端部リング１５１と対向する端部キャップ８０の側部上に一般的に配置されることが着目される。
【００８４】
図１０では、図示したサンプルシステムに対する例示の寸法は、ＦＡ＝２６.５ｍｍ、ＦＢ＝５２９ｍｍ、ＦＣ＝６ｍｍ、ＦＤ＝５２２ｍｍ、ＦＥ＝２９１.６ｍｍ、ＦＦ＝１７６.４ｍｍ、ＦＧ＝２６９ｍｍ、ＦＨ=７６ｍｍ、およびＦＩ＝７６ｍｍである。
【００８５】
図１０に図示された例示のエアフィルタカートリッジ４０に対して、外側のプリーツ先端部５１ｏは、一般的に円錐形状を形成し、濾材の端部５１ａから濾材の端部５１ｂに下向方向にテーパ状に延長している。本明細書に記載された原理は、円筒状形状および円錐状形状を含むさまざまな形状の配置物中で実施することができる。円錐形状が使用される場合、テーパの角度は、通常は、少なくとも０.５°の角度であり、通常は、少なくとも１°であり、しばしば、１〜４°の範囲の角度である。
【００８６】
好ましくは、エアフィルタカートリッジ４０が円錐状である場合、濾材積層体５１に対する円錐状のテーパは、図５の支持体で示される円錐状のテーパ形状よりもテーパ角度が小さい。
【００８７】
ここで、図１１を着目すると、図１０で示される端部キャップ８０の拡大した断面図を示す。図１１では、端部キャップ８０の断面図は、図１０の濾材積層体５０に固定される前の端部キャップ８０のみを見ることができる。
【００８８】
図１１を参照すると、中央のくぼみの部分１５２は、外側の周囲壁１６０と端部壁１６１の特徴を含む。外側の周囲壁１６０は、一般に、図１０の濾材積層体５０の内部空間６０中に突出している。濾材積層体５０の内部空間５０ｉに隣接して、または、濾材積層体５０の内部空間５０ｉからわずかに間隔をあけて配置される内壁１６１は、一般に、内部空間６０を横切って伸びている。
【００８９】
端部壁１６１は、内面１６１ｙと外面１６１ｘとを含む。内面１６１ｙは、一般に、エアフィルタカートリッジ４０の端部キャップ６６に向かっている。外面１６１ｘは、一般に、内面１６１ｙに対抗しており、端部キャップ６６から離れる方向に向いている。
【００９０】
第１の内面１６１ｙは、外側のリング部１６２を含む。円形の軸方向の外側に突出している受け部ポケットまたはリング状くぼみまたは受け部１６５は、外側のリング部１６２から半径方向の内側に提供され、外壁部１６６と内壁部１６７と端部壁部１６８によって画定される。この文脈の「軸方向の外側に突出している」によって、リング状受け部１６５は、一般に、図８Ａの対抗する端部キャップ６６の方向に突出していることを意味する。リング状くぼみ（受け部）１６５は、取り付けの間に、中央カートリッジ支持体端部５５ｔ上のリング状突起物１２５をその中に突出して収容するような大きさと形状に作られている。リング状くぼみ（受け部）１６５は、通常は、中心軸Ｘの周囲の延長部分中に連続している。図１６を参照すると、中央部４ｃは、周辺部４ｐの中央点上に必ずしも配置されるわけではなく、偏心的に配置されて図示されていることが注目される。
【００９１】
内壁部１６７は、通常は、図９の内側壁１２５ｘと係合する、外部に向いた凸状部と外部に向いた凹状（または、内部空間に向いた凸状）部とが交互にあらわれる曲がりくねった形状を持つ。すなわち、図９の曲がりくねった表面（内側壁）１２５ｘは、表面対表面の係合により、図１１の曲がりくねった表面１６７ｉの周囲に押されて、曲がりくねった表面１６７ｉと係合する。曲がりくねった表面（壁）１６７ｉ上の外側に突出した花弁（ペタル）部を収容する表面（内側壁）１２５ｘ上の花弁（ペタル）構造の結果として、係合が起こると、端部キャップ８０は、従って、エアフィルタカートリッジ４０は、中央カートリッジ支持体５５に対して容易に回転しないであろう。
【００９２】
言い換えると、エアフィルタカートリッジ４０がカートリッジ支持体５５の上方に設置されると、カートリッジ支持体５５の周囲のエアフィルタカートリッジ４０の回転の動きは、曲がりくねった内側壁１２５ｘの花弁（ペタル）形状と、曲がりくねった表面１６７ｉの花弁（ペタル）形状との間の干渉の相互作用の結果として、禁止される。これらの表面は、一緒になって、エアフィルタカートリッジ４０と中央カートリッジ支持体５５との間で回転しない係合を形成する。このことは、エアフィルタカートリッジ４０が、カートリッジ支持体５５に対して選択された回転の配置の１つだけに配置することができることを保障することを補助する。８つの花弁（ペタル）が、８つの折り曲げ対称を持つ内側壁１２５ｘ、１６７ｉのそれぞれで存在するとき、８つの回転位置が可能である。
【００９３】
内壁部１６７の半径方向の内部に間隔をあけて配置された内面１６１ｙは、中央外側突起物１７０を含む。中央外側突起物１７０は、外側の端部１７１と、側壁１７３とを含む。図示した例示では、側壁１７３は、一般に、円錐状であり、中心軸Ｘを取り囲んでいる。
【００９４】
また図１１を参照すると、エアフィルタカートリッジ４０がハウジング２中に取り付けられるとき、中央外側突起物１７０は、その中に突出する中央カートリッジ支持体５５の端部５５ｔ上の中央突起物１２６を収容する大きさと形状に作られている。
【００９５】
中央突起物１７０は、さらに、内面１７６を持つ基部１７５を含む。一般に、基部１７５は、取り付けの間に、図９の受け部くぼみ１３０ｘ中に突出する。
【００９６】
ここで、図１１の端部壁の外面１６１ｘに着目する。外面１６１ｘは、内壁部１６７と基部１７５との間に、その中に画定される受け溝１８０を含む。内壁部（表面）１６７と基部１７５の外面１６７ｏと外面１７５ｏとは、それぞれ、一般に曲がりくねったものであり、曲がりくねった受け溝１８０を形成する。曲がりくねった受け溝１８０は、外部に突出する凹部と内部に突出する凸部とが交互に現れることによって画定される壁（外面）１６７ｏに沿った外側に曲がりくねった表面と、外部に突出する凸部と、内部に突出する凹部によって画定される壁１７５ｏに沿った内面とを持つ。通常は、内壁部１６７の外側に突出する凹部は、基部（壁）１７５の外側に突出する凸部と半径方向に一直線上に並んでおり、かつ、内壁部１６７の内側に突出する凸部は、基部（壁）１７５の内側に突出する凹部と半径方向に一直線上に並んでいて、曲がりくねった受け溝１８０を形成する。受け溝１８０は、以下で議論するように、アクセスカバー４上の突起物のための受け溝である。
【００９７】
図１１において、例示の寸法は、ＧＡ＝２０ｍｍ、ＧＢ＝２ｍｍ、ＧＣ＝２ｍｍ、ＧＤ＝１０°の角度、ＧＥ＝２６９ｍｍ、ＧＦ＝２０６ｍｍ、ＧＧ＝１５２ｍｍ、ＧＨ＝９７.５ｍｍ、ＧＩ＝２６ｍｍ、ＧＪ＝４６.５ｍｍ、ＧＫ＝１４４.２ｍｍ、ＧＬ＝２３.８ｍｍ、ＧＭ＝２ｍｍの半径、ＧＮ＝２ｍｍ、ＧＯ＝８.１ｍｍ、およびＧＰ＝４６.４ｍｍである。
【００９８】
通常の例では、受け溝１８０は、例えば、図１２のＸＸで計測されるように、受け溝によって取り囲まれる空間または領域を横切る最小の内部寸法は、少なくとも１０ｍｍ、通常は、少なくとも１５ｍｍ、しばしば、少なくとも２０ｍｍ、例えば、通常は、２０〜４０ｍｍの範囲である。
【００９９】
ここで、図１２に示す外面１６１ｘに向かう方向のプリフォーム８１の概略的な外側の平面図に注目する。中央受け溝１８０が見える。図１２では、中央受け溝１８０は、簡略化した概要図で示されることが注目される。図１１では、壁（外面）１６７ｏ、壁１７５ｏの表面は、受け溝１８０の先端１８０ｔから外側に互いにテーパ状に離れるように見ることができる。図１２では、テーパ状に離れることを示すための等高線は示されていない。
【０１００】
図１３には、内面１６１ｙに向かう端部キャップ８０の内面の端面図が示されている。
【０１０１】
ここで、図１２の一部の部分図である図１４に注目する。中央受け溝１８０は、壁（外面）１６７ｏと壁１７５ｏとの間に見ることができる。壁１６７ｏは、外に向いた凹部１６７ｘと内部に突出する凸部１６７ｙとを持つ曲がりくねった表面を画定することを理解することができる。内面（壁）１７５ｏは、外に突出する凸部１７５ｘと内部に突出する凹部１７５ｙとを持つ曲がりくねった表面を画定することを理解することができる。一般に、凹部１６７ｘは、凸部１７５ｘと一直線上に並んでおり、凹部１７５ｙは、凸部１６７ｙと直線上に並んでいる。結果として曲がりくねった溝１８０が得られる。通常の好ましい応用では、中央受け溝１８０は、連続する円形の突起物が中央受け溝１８０に突出しないでむしろ中央受け溝１８０中に伸びている連続した突起物が、好ましくは曲がりくねった形状を持つような大きさと形状に作られている。
【０１０２】
図１５に、内面１６１ｙの部分拡大図を提供する。凸部１６７ｅと凹部１６７ｆを持つ内面１６７ｉを見ることができる。この内面１６７ｉは、前に説明したように、カートリッジ支持体５５状の表面（内側壁）１２５ｘと係合するように構成されている。
【０１０３】
ここで、図１６に注目する。図１６は、アクセスカバー４の外側の平面図である。すなわち、図１６の図は、図１の矢印４ｘの一般的な方向である。アクセスカバー４は、中央部４ｃと周囲部リム４ｐと外側端部の表面４ｂを含む。
【０１０４】
図１７を参照すると、アクセスカバー４は、一般に、図１６の線１７-１７に沿って得られる断面図で示される。アクセスカバー４は、ハウジング２の内部空間に面している内面４ｙと、対向する外面４ｚとを含む。図１７を参照すると、周囲部リム４ｐで、アクセスカバー４は、周囲部リム部分２００を含む。周囲部リム部分２００は、図５の取り付けの間、側壁１０と係合するような大きさに作られて配置されている。
【０１０５】
図１７を参照すると、内面４ｙは、取り付けの間にエアフィルタカートリッジ４０と係合する表面を含む。内面４ｙは、外側のリング部２０１を含む。外側のリング部２０１は、図５の取り付けの間に濾材積層体５０の端部５０ｂと重なる。また、内部に突出する壁２０２は、領域（リング部）２０１から半径方向の内部にある。一般に、内部に突出する壁２０２は、取り付けの間、エアフィルタカートリッジ４０の内部に突出する。言い換えると、内部に突出する壁２０２は、一般に、取り付けの間、濾材積層体５０の端部５０ｂによって取り囲まれている。
【０１０６】
突起物２１０は、内部に突出する壁２０２から半径方向の内部の表面（内面）４ｙ上に提供される。突起物２１０は、取り付けの間、図１１の中央受け溝１８０に収容される大きさと形状で突出するように作られている。代替手段は可能であるが、突起物２１０は、通常は、軸Ｘの周囲の延長部分内に連続している。また、突起物２１０は、通常は、中身が詰まっており（中空でない）、通常は、貫通する開口部を含んでいない。
【０１０７】
突起物２１０は、半径方向の外面２１１と半径方向の内面２１２を持つ。示された例に対して、外面２１１は、一般に、曲がりくねっており、外側に凸部と内部に凹部を交互に現すものを有する。また、内面（内壁）２１２は、一般に、曲がりくねっており、対応する内部に突出する凸部領域と外側に突出する凹部領域とを有し、それらの領域は、互いに交代するものである。外側に突出する壁（外面）２１１の凸部は、内部に突出する壁２１２の凹部と半径方向に一直線上に並んでおり、内部に突出する壁（外面）２１１の凹部は、内部に突出する壁２１２の凸部と一直線上に並んでいる。
【０１０８】
軸Ｘの周囲の延長部で突起物２１０に対する曲がりくねった形状により、壁２１０は、図１１の曲がりくねった受け溝１８０内に収容されるような大きさと形状に作られている。
【０１０９】
内面２１２の対抗する部分の間の突起物２１０を横切る寸法は、通常は、少なくとも１０ｍｍであり、普通は、少なくとも１５ｍｍであり、しばしば、少なくとも２０ｍｍであり、例えば、２０〜４０ｍｍである。この寸法は、図１７の寸法ＸＸＸに対応するものである。
【０１１０】
中央受け溝１８０に対する曲がりくねった突起物により、回転しない係合が得られる。すなわち、適切な大きさに作られたエアフィルタカートリッジ４０とアクセスカバー４は、突起物２１０がいったん中央受け溝１８０中に伸びると、互いに回転が禁止される。アクセスカバー４は、エアフィルタカートリッジ４０がカートリッジ支持体５５上にあらかじめ配置されると、突起物２１０が中央受け溝１８０に伸びるようなアクセスカバー４の回転の配置を確実にするように、ハウジングの側壁１０に対して選択された回転の配置で取り付けられるように割り出すことができる。
【０１１１】
また図１７を参照すると、壁（突起物）２１０は、中央外側の突起物２２０を取り囲こみ、図２の突起物３３を形成する。内面４ｙ中の中央外側の突起物２２０は、一般に、図５の壁１１から離れる方向に伸びており、図１１の突起物１７０のために受け部空間２２１を画定する。
【０１１２】
図１８に、内面４ｙの一部の部分平面図を提供する。突起物２１０は、外面２１１、内面２１２とともに見ることができる。一般に、外面２１１、内面２１２は、一般的に図１７の先端２１０ｔに向かう方向の延長部分で互いに集中し、先端から互いに離れる方向の延長部分で発散することが注目される。
【０１１３】
図１８では、補強リブ２３０を内面４ｙ上に見ることができる。
【０１１４】
図１９では、壁（突起物）２１０の概略的な拡大図が提供され、輪郭加工か曲がりくねった形状の理解を外面２１１、内面２１２に容易にするために拡大して、図式の図を提供する。
【０１１５】
図１９を参照すると、突起物２１０の外面２１１は、曲がりくねった形状を持つことが理解できる。曲がりくねった形状は、内部に向いた凹部２１１ｘと外側に突出する凸部２１１ｙとを交互に含む。内面２１２もまた曲がりくねった形状であることが理解できる。曲がりくねった形状は、外側に突出する凹部２１２ｙと内部に突出する凸部２１２ｘを持つ。各部（内面の凸部）２１２ｘは、半径方向に部分（外面の凹部）２１１ｘと一直線上に配置され、各部（内面の凹部）２１２ｙは、半径方向に部分（外面の凸部）２１１ｙと一直線上に配置される。その結果として、壁（突起物）２１０は、中央２１５の周りに８つの折りたたみの半径方向の対称を持つ、８花弁（ペタル）形状を持つ。
【０１１６】
図１７に戻って参照すると、例示の寸法は、ＩＡ＝５４.５ｍｍ、ＩＢ＝２８ｍｍ、ＩＣ＝２４ｍｍ、ＩＤ＝３２９．９ｍｍ、ＩＦ＝３２７ｍｍである。
【０１１７】
ＩＩ.中央カートリッジ支持体５５、第１カートリッジ４０、アクセスカバー４の有利な相互作用の配置
上記の図の概説から（ハウジング本体３中の）中央カートリッジ支持体５５と、第１カートリッジ４０と、アクセスカバー４との間の有利な相互作用を理解することができる。それらの特徴は、一般的に以下の通りである。
【０１１８】
第１カートリッジ４０は、カートリッジ支持体５５と回転しない相互作用で配置される。この回転しない配置は、図５Ａに図示されるように、端部キャップ８０の内面１６１ｙ上の構造と係合している端部５５ｔ（図８Ａ）の外面５５ｘ上の構造から得られる。特に、回転しない相互作用は、端部キャップ８０の表面（内面）１６１ｙで外側に向いている曲がりくねった壁１６７ｉの周囲に伸びて係合しているリング状突起物１２５の曲がりくねった内壁１２５ｘから得られる。記載されたように、曲がりくねった係合により、カートリッジ４０を取り付けるとき、カートリッジ４０は、中央カートリッジ支持体５５に対して複数の選択された回転の配置のうちの１つの配置で容易に配置することができる。
【０１１９】
図示された特別の例示のシステムでは、凸部と凹部が交互に現れる曲がりくねった形状により、中央カートリッジ支持体５５上のカートリッジ４０に対して８つの回転の配置がある。代替の数は可能である。
【０１２０】
したがって、特に、カートリッジ４０と支持体５５との間の回転しない係合は、カートリッジ４０がアクセスカバー４との係合のためにある予め選択された配置のうちの１つの配置だけで固定されるのを確実にする。
【０１２１】
アクセスカバー４は、端部ピースまたは端部キャップ８０の外面１６１ｘで画定される溝１８０中に伸びている突起物２１０を含む。溝１８０中への突起物２１０の突起は、アクセスカバー４が、好ましくないレベルの端部５０ｂの片持ちばりの端部の動き、すなわち、隣接する端部ピース８０に対して、カートリッジ４０を支持するのを提供する。すなわち、カートリッジ端部５０ｂは、図５Ａで上下または観察者に向かう方向と離れる方向（in-out motion）の動きまたはそれらの混合の動きの好ましくない動きをしないだろう。許容される動きの量は、溝１８０の幅と相対的な突起物２１０の厚さに依存するだろう。通常は、それらは、組立ての容易さを可能にするすきまの量である最小の動きだけ可能にするように選択される。
【０１２２】
次に、図示された例示に対して、カートリッジ４０は、好ましくないレベルの片持ちばりの動きに対して、濾材積層体端部５０ｂを取り囲む周辺領域３０と突起物２００とを除いてアクセスカバー４の部分が無い状態で、すなわち、カートリッジ４０、すなわち濾材積層体５０とまた係合する濾材積層体５０ｂを取り囲んでいる部分が無い状態で、濾材積層体の端部５０ｂで支持することが着目される。言い換えると、カートリッジ４０は、カートリッジ４０の外部の周囲で支持体によって端部５０ｂで支持されておらず、むしろ内部のみ支持されている。
【０１２３】
支持体に対して、好ましくは、突起物２１０は、少なくとも５ｍｍの距離で、通常は、少なくとも１２ｍｍの距離で、通常は、１５〜３０ｍｍの範囲で伸びている。
【０１２４】
好ましくは、溝１８０は、延長部分の深さに沿って、１０ｍｍ未満の幅、通常は、９ｍｍ未満の幅、通常は、４〜７ｍｍの範囲の幅を持つ。好ましくは、溝１８０は、少なくとも６ｍｍの深さ、通常は、少なくとも１２ｍｍの深さ、通常は１２〜２５ｍｍの範囲の深さである。
【０１２５】
通常の応用では、溝１８０の半径方向の外側の壁１６７ｏは、濾材積層体５０から少なくとも２０ｍｍの位置に、通常は、少なくとも３０ｍｍの位置に配置される。
【０１２６】
好ましくは、突起物２１０の厚さは、その長さに沿って、少なくとも１ｍｍの厚さ、通常は、少なくとも１.５ｍｍの厚さ、普通は１.５〜４ｍｍの範囲の厚さである。
【０１２７】
これらの例示の寸法により、突起物２１０と溝１８０とを含む突起物/受け部配置物は、片持ばりの動きに対してカートリッジ４０を保護することが便利である。
【０１２８】
さらに、突起物２１０の曲がりくねった外面２１１は、アクセスカバー４とカートリッジ４０間の相対的な回転を抑制しながら、突起物１６７上の表面１６７ｏと係合する。実際は、表面（内側壁）１２５ｘと表面２１１との間の壁１６７ではさむことによって、総合的に回転しない配置が形成される。
【０１２９】
上記説明した相互作用は、一旦設置されると、片持ちばりの動きに対して濾材積層体の端部５０ｂでカートリッジ４０に対する支持と、回転運動に対するカートリッジ４０の支持を提供する。
【０１３０】
さらに、本明細書に記載されたような配置物は、エアクリーナ用アセンブリ１に対して、取り付けられたカートリッジ４０が、選択された好ましいカートリッジ４０であることを確実にすることを補助する。図５Ａを参照すると、アクセスカバー４中の突起物３３は、カートリッジ４０中の突起物１７０に対する受け部３３ｒとして作用する。カートリッジ４０の上の突起物１７０は、内面の表面に沿って、支持体５５上の突起物１２６に対する受け部として作用する。これらの特徴は、溝１８０中に収容された突起物２１０と、（中央カートリッジ支持体５５上のリング状突起物１２５と突起物１２６との間で受け部１３０内に収容され、溝１８０を画定する）突起物１８０ｐとが、使用時に、ハウジング本体２の内部２ｉで、不適切または好ましくないカートリッジ４０の設置を禁止する配置を形成することと組み合わされる。これを容易にするために、好ましくは、突起物１７０は、少なくとも１０ｍｍの距離で、普通は、１５ｍｍ〜５０ｍｍの範囲の距離で、受け部３３ｒ中に伸びており、突起物１２６は、少なくとも１０ｍｍの距離で、普通は１５〜５０ｍｍの距離で、受け部１７０中に伸びている。
【０１３１】
通常は、図１１の壁１６７、１６６の間に形成された受け溝１６８は、少なくとも１０ｍｍの幅、通常は、少なくとも２０ｍｍの幅であり、しばしば、２０〜３０ｍｍの範囲の幅である。受け溝１６８は、通常は、幅４０ｍｍを超えない。
【０１３２】
記載された様々な相互作用は、カートリッジ４０がハウジング２中に適切に取り付けられること、特に、カートリッジ４０が取り付けられたとき、ハウジングの中央カートリッジ支持体５５との係合が起こること、を確実にすることを補助することが注目される。このことは、カートリッジ４０が、ハウジング本体３中で、長さに沿って適切に一直線上に並べられることを確実にするのを補助する。アクセスカバー４が配置されるとき、更なる係合が起こり、再び、カートリッジ４０がハウジング本体２中でアクセスＸの周りで長手方向に適切に一直線上に並べられることを確実にする。
【０１３３】
また、アクセスカバー４は、カートリッジ４０が所定の位置で適切にシールされない場合には、容易にハウジング側壁１０中に設置されないだろう。
【０１３４】
ＩＩＩ.オプションの安全エレメント４１
ここで図５Ａを参照して、オプションの安全エレメント４１の取り付けを再検討する。端部ピース９１は、リング状突起物１２５の壁１２５ｃの上に適合する内部の開口部９２を持つ。カートリッジ端部ピース８０は、２４０で示される内部に向けられたリング状突起物を含む。リング状突起物２４０は、いったん取り付けられると、安全エレメント４１がアクセスカバー４に向かう移動を禁止するように端部ピース９１の端部９１ｅに係合する。
【０１３５】
図示された例示の安全エレメント４１は、端部９１から対向する端部で端部キャップを含まない。むしろ、図示された例示では円錐形状であり、濾材４１は、ぴったり合った係合が得られるまで、円錐状の支持体の上で押される。
【０１３６】
図示された構成物は、オプションの安全カートリッジ４１が存在するか否かにかかわらず、内部のカートリッジ支持体５５によってカートリッジ４０の支持体を提供する。このことは、安全フィルタ４１がオプションに存在するかしないかを使用中に可能するので、有利である。
【０１３７】
ＩＶ.第３の実施例  図２０〜３１
図２０〜３１に、本開示の原理の更なる代替の実施例を示す。作動の一般原理は、同じままで残っているが、しかしながら、ある特別の詳細は、以下に説明するように変更されている。
【０１３８】
図２０を参照すると、参照番号３０１は、エアクリーナ用アセンブリを一般的に示す。エアクリーナ用アセンブリ３０１は、ハウジング本体３０３とアクセスカバー３０４を含むハウジング３０２を含む。アクセスカバー３０４は、ラッチ３０８を含む接続配置物３０７によってハウジング本体３０３上の適所に固定される。図２１を参照すると、ハウジング本体は、アクセスカバー３０４が取り付けられる第１の開いている端部３１０ａを持つ側壁３１０を含む。ハウジング側壁３１０は、第１の端部３１０ａに対向して第２の端部３１０ｂを含む。第２の端部３１０ｂは、その上にハウジング端部壁３１１を持ち、その中を通る空気流の開口部３１２を持つ。
【０１３９】
図２１の図には、ラッチ３０８を取り付けずに示していることが注目される。
【０１４０】
図２０を参照すると、エアクリーナ３０１は、入口アセンブリ３１６から空気を受ける空気取入口の開口配置物３１５を含む。
【０１４１】
図２１を参照すると、アセンブリは、取付用パッド３２１と吸引バルブ配置物３２５とを含む。
【０１４２】
また、アセンブリ３０１は、カートリッジ支持体３５５と安全カートリッジ３４１とを含む。
【０１４３】
従って、これまで記載したコンポーネントは、第１実施例と第２実施例に関して前に記載したのと一般的に同じであり得る。この文脈において、同じように特徴付けられた特徴は、同じような機能と動作を持つ。
【０１４４】
実際に、エアクリーナ用アセンブリ３０１に対するエアクリーナのハウジング本体３０３とアクセスカバー３０４は、本原理の特別な応用に依存する図６のアセンブリ３０１に対して、または、図１のアセンブリ１に対してと同じであり得る。
【０１４５】
また図２１を参照すると、カートリッジ３４０がハウジング３０２の内部３０２ｉ内に取り付けられて示されている。カートリッジ３４０は、記載されたような変更を除いては、図５のカートリッジ４０と同じであり得る。特に、図２１の端部キャップ３６６は、図５の端部キャップ６６から変更されており、端部キャップ３６７は、端部キャップ８０から変更されている。
【０１４６】
図２２を参照すると、端部キャップ３６６は、適所に成形されており、端部キャップ３６６の上に一体成形されたシール突起物３７０を含む。シール突起物３７０は、ポケット３９６の壁３９７に対して係合してシールしている。
【０１４７】
端部キャップ３６６で外側に向いた周囲部の半径方向シールを形成するために、壁３９７に対してシール突起物３７０の圧力は、突起物３７０中に埋め込まれたシール支持体４１０によって提供される。突起物４１０は、図２９〜図３１に関連して以下でさらに説明する。
【０１４８】
図２３に、ハウジング本体３０３を示す。支持体３５５と支持体端部３５５ｔは、図１〜５の実施例と関連して前に説明されたのと一般的に類似の特徴に類似することができることを理解することができる。
【０１４９】
したがって、支持体端部３５５ｔは、リング状突起物４２５と中央突起物４２６とを含む。
【０１５０】
図２４に、図２３の拡大部分断面図を示す。ここで、対向する壁３９７と壁３９５を持つポケット３９６を見ることができる。
【０１５１】
図２５に、アクセスカバーで３０４が取り外された状態のハウジング本体３０３の端面図を示す。
【０１５２】
図２６に、カートリッジ３４０の断面図を示す。カートリッジ３４０は、濾材積層体３５０を含む。濾材積層体３５０は、開いている内部３６０を画定するためにインナーライナ３５２を取り囲んでいる濾材３５１を含む。インナーライナ３５２は、端部キャップ３６６と端部キャップ３６７との間に伸びている。実施例に対して、端部キャップ３６６と端部キャップ３６７は、どちらも適所に成形されており、それぞれは、成形された発泡した圧縮性ポリウレタンを通常は含んでいる。インナーライナ３５２は、埋め込まれて、端部キャップ３６６と端部キャップ３６７の間に伸びている。シール突起物３７０は、端部キャップ３６６の一部として一体に成形されている。
【０１５３】
図２７は、図２６の部分拡大断面図である。ここで、突起物３７０は、残りの部分と一体成形されている端部キャップ３６６を見ることができる。また、突起物４１０、埋め込まれた突起物３７０を見ることができる。突起物４１０は、インナーライナ３５２の一部であり、ハウジング３０２中にカートリッジ３４０の取り付けの間、シール面３７０ｓに沿ってシール部材３７０に対する支持体を提供するであろう。
【０１５４】
ここで、アクセスカバー３０４を示す図２８に注目する。アクセスカバー３０４は、曲がりくねった外面４１１と曲がりくねった内面４１２とを持つ突起物４１０を含むことを理解することができる。アクセスカバー３０４は、図１７のアクセスカバー４と同じであり得る。
【０１５５】
ここで、インナーライナ３５２を示す図２９に注目する。インナーライナ３５２は、端部４５１と端部４５２の間で伸びている濾材支持体部４５０を含むことが理解できる。濾材支持体部４５０は、長手方向の細長片４５５と、空気流に対する開口４５７を画定する交差する細長片４５６を含む。
【０１５６】
４５１で、濾材支持体部４５０は、残りの部分４５０と一体となっているシール支持体領域４１０を含む。シール支持体領域４１０は、濾材支持体部４５０の直接隣接する部分４５０ａより大きい直径の領域を含む。したがって、外側に伸びている肩部４１０ｂは、領域４１０と濾材支持体部４５０との間の領域４１０に隣接している。領域４１０は、そこを貫通する複数の開口４１０ａを含む。端部キャップ３６６が埋め込まれるとき、端部キャップ３６６の成形の間、端部キャップ物質は、図２７の突起物３７０内の支持体４１０を巻き込みながら、開口４１０ａを通って流れることができる。端部４５１でフレームワーク（枠組み）は、シール支持体を提供するだろう。
【０１５７】
肩部４１０ｂは、濾材支持体４５０の周囲に配置されたときに、濾材３５１に対して濾材の停止を提供することが注目される。すなわち、肩部４１０ｂは、組立ての間、濾材３５１の便利な支持体に対して濾材３５１の端部を横切って伸びるであろう。
【０１５８】
端部４５２で、端部キャップ３６７中に埋め込まれている延長部分４７０が示されている。端部４５２を横切って伸びており、支持体４７０によって取り囲まれている端部ピース４９０が提供される。端部ピース４９０は、図１１の端部キャップ１５１の中央部分に類似する構成を持つ。従って、曲がりくねった受け溝５００と中央突起物受け部４０１が存在する。
【０１５９】
したがって、端部キャップ３６７は、図２７の適所に成形された外側のリング部分を含み、かつ中央部分４８１が、片持ちばりでなくかつ回転しない支持体のための適切な構成を持つプリフォームされた物質を含む複合材料の端部キャップを有することを理解することができる。この例示では、中央部分４８１はインナーライナ３５２と一体成形されている。
【０１６０】
図３０に、図２９の部分拡大図を示す。図３１に支持体３５２の斜視図を示す。
【０１６１】
図２９〜図３１では、例示の寸法は、ＺＡ＝１８０ｍｍ、ＺＢ＝１５４.１ｍｍ、ＺＣ＝９.５ｍｍ、ＺＤ＝４.５ｍｍ、ＺＥ＝２０３.４ｍｍ、ＺＦ＝１ｍｍである。図３０において、ＺＧ＝２９.５ｍｍ、ＺＨ＝１９.３２ｍｍ、ＺＩ＝４.５ｍｍである。
【０１６２】
Ｖ.結論の総括
本明細書では、前の記載と示した図により、エアクリーナ用アセンブリとコンポーネントを詳細に説明し図示した。エアクリーナ用アセンブリまたはコンポーネントは、本開示の原理に基づくいくつかの利益を得るために、本明細書に記載されて特徴付けられた特徴の全てを含む必要性は特に全くない。
【０１６３】
本開示の１つの態様によると、エアクリーナ用アセンブリを提供する。エアクリーナ用アセンブリは、ハウジングと、点検可能なフィルタカートリッジとを含む。フィルタカートリッジは、ハウジングと点検可能なフィルタカートリッジとに損傷与えないで、ハウジング内に配置可能であり、かつハウジングから取り外し可能である。また、オプションの安全エレメントが提供される。
【０１６４】
一般に、ハウジングは、ハウジング本体と、アクセスカバーとを含む。ハウジング本体は、側壁と、中央カートリッジ支持体とを含む。側壁は、一般的に、ハウジング本体の内部を画定する。ハウジング本体は、通常は、そこを通る空気流れの開口部を持つ端部壁と、端部壁に対向し開いている端部とを含む。中央カートリッジ支持体は、ハウジング本体の開いている端部に向かう方向に、空気流れの開口部を取り囲んでいる支持体基部から伸びている。
【０１６５】
一般的に、ハウジングの端部壁と開いている端部とは、ハウジングの側壁の対向する端部にある。
【０１６６】
通常の配置物では、ハウジングは、空気入口の配置物を含む。図示された例では、空気入口の配置物は、ハウジング本体の側壁中にある空気流の開口部である。したがって、通常の応用では、側壁中の空気流の開口部は、使用の間、収容部のフィルタカートリッジに対して外から中への流れ（out-to-in flow）に対する入口の流れ開口部であり、端部壁の空気流の開口部は、出口開口部である。しかしながら、本明細書に記載された原理の多くは、所望であれば、いくつかの応用において、中から外への流れ（in-to-out flow）（反対の流れ）に対して使用することができることが注目される。
【０１６７】
中央カートリッジ支持体は、基部から離れる方向に支持体端部を含む。基部から離れる方向の支持体端部は、第２の（中央）の突起物から間隔をあけて配置されている第１の（リング状）突起物を含み、それらの間で受け部空間を画定する。図示された特別の例示のシステムに対し、第１の突起物は、外側のリング状突起物であり、第２の突起物（中央突起物である）の周囲に（例示では、連続的に）伸びている。第１のリング状突起物と第２の中央突起物とは、一般的に、支持体基部と端部壁とから離れる方向に一般的に突出する。
【０１６８】
通常は、外側の第１のリング状突起物は、支持体端部にすぐ隣接する部分から、少なくとも５ｍｍの長さ、通常は７ｍｍの長さ、しばしば、７〜２５ｍｍの範囲内の量の長さで伸びており、中央突起物は、支持体端部のすぐに隣接している部分から、少なくとも１０ｍｍの長さ、通常は５ｍｍの長さ、しばしば、１８〜４０ｍｍの範囲内の量の長さで伸びている。
【０１６９】
示された例では、第２の中央突起物は、側壁の開いている端部から外側方向に突出する。
【０１７０】
点検可能な第１のエアフィルタ用第１カートリッジは、ハウジング本体内部に配置される。エアフィルタカートリッジは、開いているフィルタ内部を取り囲こみ、第１端部キャップと第２端部キャップとの間で伸びている濾材積層体を含む。第１端部キャップは、その中を通る中央開口部を持ち開いている端部キャップである。エアフィルタカートリッジは、ハウジング上の中央カートリッジ支持体が、第１端部キャップの開いている中央開口部を通って開いているフィルタ内部に突出する状態で配置される。
【０１７１】
ハウジングシールは、第１端部キャップに配置される。通常は、ハウジングシールは、例えば、発泡性ポリウレタンで第１端部キャップに一体成形されるが、代替手段が可能である。ハウジングシールは、例えば、内部または外側の方向に突出する半径方向シールとして構成することができる。図示された特別の例では、ハウジングシールは、濾材積層体から離れる方向で、第１端部キャップの残りの部分から軸方向に離れる方向に伸びている突起物であり、ハウジングシールは、半径方向の外側に向いた半径方向のシール面を含む。示された例では、埋め込まれた支持体をハウジングシール中に提供される。埋め込まれた支持体は、インナーライナの部分を含むことができる。ある場合には、濾材に対する端部停止部を形成することができる。代替のハウジングシール配置物は可能である。
【０１７２】
第２端部キャップは、閉じた端部キャップであり、第１端部キャップから離れる方向に突出する中央受け部突起物を持つ内面を含む。第１端部キャップから離れる方向に第２端部キャップ中に突出する中央受け部は、エアフィルタカートリッジが取り付けられるとき、その中に突出するカートリッジ支持体の中央突起物を収容する。
【０１７３】
第２端部キャップの内面は、中央受け部を取り囲こみかつ間隔をあけて配置されている第１のリング状受け部を、通常は、含んでいる。第２端部キャップ中の第１のリング受け部は、エアフィルタカートリッジがハウジングに取り付けられるとき、その中に突出する、ハウジングの中央カートリッジ支持体のリング状突起物を収容するように構成されている。そのような配置物の例では、内部に突出する第１端部の壁または部分は、リング状受け部と中央受け部とを分離する。
【０１７４】
図示した実施例の第２端部キャップは、その中に受け溝を持つ外面を含む。例では、受け溝は、リング状受け部と中央受け部との間に配置された内面の内部に突出する部分と対向して配置されている。すなわち、受け溝は、内面中の中央受け部を取り囲こんでいる構造によって、第２端部キャップの外面上に形成されている。
【０１７５】
点検可能な第１のエアフィルタカートリッジは、ハウジング本体の内部に、ハウジング本体の一部にシールされた第１のエアフィルタカートリッジのハウジングシールと、第１端部キャップの開いている開口部を通って開いているフィルタ内部に突出する中央カートリッジ支持体と、第２端部キャップ上の中央受け部中に突出するハウジング本体の支持体端部上の中央突起物とともに配置されている。通常は、中央カートリッジ支持体の支持の体端部上の第１のリング状突起物は、第２端部キャップ上のリング状受け部中にも突出する。
【０１７６】
アクセスカバーは、ハウジング本体の開いている端部の上方に固定されている。アクセスカバーは、第１のリング状突起物を持つ内面を含む。アクセスカバーは、内面の第１のリング状突起物が第１のフィルタカートリッジの第２端部キャップの外面上で受け溝中に突出する状態で配置される。
【０１７７】
通常の配置物では、第１端部キャップは、例えば、発泡性ポリウレタンにより適所に成形された端部キャップである。第２端部キャップは、通常は、濾材積層体が接着剤かあるいは鉢植え成形物によって固定されている、例えば、金属あるいはプラスチックからあらかじめ形成された端部キャップであるか、あるいは、適所に鋳込み成形されたリングによって濾材積層体に固定された中央プリフォーム部分を含む複合材料の端部キャップである。後者の例では、中央プリフォーム部分は、カートリッジの濾材支持体ライナの一部を含むことができる。
【０１７８】
第１端部キャップ上のハウジングシールは、通常は、第１端部キャップと一体成形されており、半径方向に向いているシールを含んでもよい。外部に向いているか、または内部に向いている半径方向のシールは可能である。
【０１７９】
記載された例示の配置物において、端部キャップの残りの部分と一体成形されたシール突起物を含むハウジングシール配置物が提供される。シール突起物は、その中に埋め込まれたシール支持体を含む。シール支持体は、濾材のインナーライナと一体成形された部分を含むことができる。例では、シール突起物中に埋め込まれた支持体は、濾材のインナーライナと一体成形されているばかりでなく、端部キャップ中に埋め込まれた、濾材の端部に対する支持体の肩部または端部停止部を画定する。
【０１８０】
通常のアセンブリでは、第１フィルタカートリッジの第２端部キャップの外面は、その上に中央外側へ突出する突起物を含む。この中央外側へ突出する突起物は、その内面上で中央外側に突出する受け部を画定する。
【０１８１】
通常は、アクセスカバーは、外側に突出する受け部を持つ内面を含む。アクセスカバーの内面上の外側に突出する受け部は、その中に突出するエアフィルタ用第１カートリッジの第２端部キャップの中央外側へ突出する突起物を収容する。
【０１８２】
本明細書に記載された技術のいくつかの応用では、エアクリーナ用アセンブリは、第１端部キャップと、第１端部キャップに固定された濾材の延長部分とを持つ、点検可能な安全フィルタまたは２次フィルタを含む。第１端部キャップは、その中を通る中央開口部を含む。２次フィルタは、２次フィルタが中央カートリッジ支持体に対して配置されている状態で、エアフィルタ用第１カートリッジの開いているフィルタ内部に配置される。２次フィルタの第１端部キャップの中央開口部は、中央支持体のリング状突起物がそこを通って突出する状態で、中央支持体の支持体端部の一部の周囲に適する大きさに作られて配置されている。
【０１８３】
記載された例では、アクセスカバーの内面上の第１のリング状突起物は、曲がりくねった内壁表面と、曲がりくねった外壁表面とを持っている。さらに、第１フィルタカートリッジの第２端部の外面上の受け溝は、曲がりくねった少なくとも１つの壁（内壁または外壁）を持ち、通常は、両方の壁が曲がりくねっている。
【０１８４】
アクセスカバー内面上のリング状突起物に対する曲がりくねった形状と、第１のフィルタカートリッジの外面上の受け溝に対する曲がりくねった形状とにより、アクセスカバー中の第１のリング状突起物は、第１のフィルタカートリッジの第２端部キャップの外面上の受け溝中に回転しないで係合することができる。この文脈の「回転しない係合」によって、第１のフィルタカートリッジとアクセスカバーが、係合の間に、互いに左右されて回転することができないことを意味する。
【０１８５】
また、第１フィルタカートリッジの第２端部キャップの外面上の受け溝中に突出するアクセスカバーの第１のリング状突起物により、カートリッジは、ハウジングの残りの部分に対して、閉じた端部キャップで、片持ちばりの動きに対して支持することができる。また、この片持ちばりされた動きの支持は、第１のフィルタカートリッジとカートリッジ支持体との間の係合によってもまた促進される。
【０１８６】
さらに、中央支持体の離れている（外側の）端部は、内部に向いている曲がりくねった表面を持つ第１のリング状突起物を提供することができる。フィルタカートリッジ端部キャップは、半径方向の外側に向いた曲がりくねった表面を持つリング状受け部を含むことができる。これらの２つの曲がりくねった表面は、第１のフィルタカートリッジとカートリッジ支持体との間の回転しない係合を提供するように係合することができる。この係合は、アクセスカバーが点検動作の完成の間に取り付けられるとき、アクセスカバーの突起物を収容するために、適切な半径方向の配置でカートリッジ支持体の上方に取り付けられるとき、カートリッジを配置するのを助けるために使用することができる。
【０１８７】
図示した例では、円錐の支持体は、ハウジング端部壁に隣接する基部領域から支持体端部に向かって直径がテーパ状に延長している円錐状の側壁部を含む。円錐の側壁部は、通常は、少なくとも１°の円錐状のテーパ形状を持つ。中央支持体は、多孔状の壁部分と、ハウジング本体の端部壁に隣接している無孔の基部部分とを含むことができる。
【０１８８】
第１端部フィルタカートリッジの濾材積層体は、第１端部キャップから第２端部キャップにまで下向方向にテーパ状に延長している円錐状の側壁部を持つことができる。第１のフィルタカートリッジの濾材積層体の円錐状の側壁部は、通常は、少なくとも０.５°の円錐状の角度を持つ。
【０１８９】
円錐の支持体が第１の円錐形状の角度を持つ例では、第１のフィルタカートリッジの濾材積層体は、第２の円錐形状の角度の円錐状の側壁部を持つ。いくつかの例では、第１の円錐状の角度は、第２の円錐状の角度より大きい状態で提供することができる。これにより、これらの例では、中央支持体は、濾材積層体より急角度で下向きにテーパ状となっていることを意味する。
【０１９０】
本開示によると、エアフィルターアセンブリで使用可能なコンポーネントが提供される。そのコンポーネント中に、エアクリーナ用アセンブリの第１のフィルタカートリッジとして使用可能なエアフィルタカートリッジが含まれている。カートリッジは、通常は、第１端部と第２端部とを持ち、開いているフィルタ内部を取り囲んでいる濾材積層体を含んでいる。第１端部キャップは、濾材積層体の第１端部中に配置され、その中に中央開口部を含む。ハウジングのシール部材は、通常は、第１端部キャップ上に配置され、第１端部キャップと一体成形で形成することができる。シール部材は、記載されたように、その中に埋め込まれたシール支持体を含むことができる。
【０１９１】
第２端部キャップは、濾材積層体の第２端部上に配置される。第２端部キャップは、内面と外面とを含む。第２端部キャップは、いくつかの応用では、プリフォームとして提供することができる。
【０１９２】
第２端部キャップの外面は、その中に受け溝を含むことができる。通常は、受け溝は、少なくとも６ｍｍの深さである。受け溝は、内側と外側の半径方向の壁の間に形成され、通常は、連続するリング状として構成される。外壁の受け溝は、通常は、濾材積層体から少なくとも２０ｍｍだけ半径方向に内部で間隔をあけて配置されている。
【０１９３】
第２端部キャップの内面は、第１端部キャップから外側に離れる方向に突出する中央受け部を含む。中央受け部は、受け溝によって取り囲まれている。
【０１９４】
通常は、第２端部キャップの外面中の受け溝は、２５ｍｍ未満の距離だけ離れた、通常は、１０ｍｍ未満の距離だけ離れた２つの壁の間に画定される。
【０１９５】
示された例では、第２端部キャップの外面の受け溝は、曲がりくねった受け溝である。受け溝は、内壁と外壁のうちの少なくとも１つが、通常は、内壁と外壁のそれぞれが曲がりくねった表面を持っている内壁と外壁によって形成されている。
【０１９６】
示された例では、第２端部キャップの内面は、そこから端部キャップの対向する端部で受け溝を画定する内側に突出する突起物を含む。図示した例示では、内側に突出する突起物は、半径方向の外側に突出する曲がりくねった外壁面を持つ。
【０１９７】
第２端部キャップの内面は、リング状受け部を画定することができる。リング状受け部では、内側に突出する突起物の曲がりくねった外壁面は、リング状受け部の半径方向の内側で外側に面している表面を画定する。リング状受け部は、さらに、リング状受け部上の半径方向の内部で、外側に面している表面から間隔をあけて配置されている半径方向の外で内側で面している表面を持つ壁を含む。その間隔の距離は、通常は、少なくとも１０ｍｍ、通常は４０ｍｍ以下である。
【０１９８】
図示された例では、濾材積層体は、ひだ付き濾材を含み、第１端部キャップから第２端部キャップまでの延長部分で下向きにテーパ形状の円錐形状を含むことができる。さらに、濾材積層体は、インナーライナを含むことができる。濾材積層体は、プリーツを無傷に保持しプリーツの間隔を保持するために、外側のライナを含むことができる、および／または、その上に外側の接着性ビーズを提供することができる。
【０１９９】
本明細書で上記で特徴付けられたように、本明細書に記載された原理は、さまざまな特別の構成物でアセンブリされた選別された特徴によって実施することができる。そして、いくつかの与えられた実施例に含まれる、特徴付けられた特徴の全てを含む必要性は全くない。従って、本開示の第２の態様において、ハウジング本体とアクセスカバーを含むハウジングを含むエアクリーナ用アセンブリが提供される。ハウジング本体は、側壁の端部と端部壁の対向し開いている端部とを含む。端部壁は、そこを通る空気流れの開口部を画定し、ハウジング本体はハウジング本体内部を含む。ハウジングは、使用の間に、内部に空気流れを提供する空気流の入口配置物を含むことができる。
【０２００】
点検可能なエアフィルタ用第１カートリッジは、ハウジング本体内部に配置される。エアフィルタ用第１カートリッジは、第１端部キャップと第２端部キャップとの間で伸びていて、開いている内部を取り囲こむ濾材積層体を含む。第１端部キャップは、そこを通る中央開口部を持つ開いている端部キャップである。ハウジングシールは第１端部キャップに置かれる。ハウジングシールは、例えば、端部キャップの残りの部分と一体成形で形成された半径方向シールを含むことができるが、代替手段は可能である。１つの例では、ハウジングシールは、第１端部キャップの残りの部分から（軸方向から）外側に伸びている突起物を含み、突起物は、その上に、外側に向いた階段状の半径方向のシール部分を持つ。ハウジングシールは、記載されたように、その中に埋め込まれたシール支持体を含むことができる。
【０２０１】
第１のフィルタカートリッジの第２端部キャップは、閉じた端部キャップであり、その中に受け溝を持つ外面を有する。受け溝は、２５ｍｍ未満の長さで、通常は、１０ｍｍ未満の長さで、間隔をあけて離れて配置されている半径方向の内壁と外壁によって画定される。受け溝が、その延長部分の一部と、１０ｍｍより大きい距離で、好ましくは、溝の少なくとも６ｍｍ（通常は、少なくとも１０ｍｍ）の最深の深さで間隔をあけて配置されているときの状況においてでさえ、壁は、１０ｍｍ未満間隔をあけて離れて配置されていない。
【０２０２】
典型的な受け溝は、濾材積層体から少なくとも２０ｍｍ半径方向の内部に間隔をあけて配置されている。
【０２０３】
図示された例示の実施例では、アクセスカバーは、ハウジング本体の開いている端部の上方に固定されていて、第１のリング状突起物を持つ内面を含む。アクセスカバーは、第１のリング状突起物が第１のフィルタカートリッジの第２端部中で受け溝中に突出する状態で、配置される。このことは、カートリッジに対する片持ちばりの支持を提供するために使用することができる。第１のリング状突起物は、曲がりくねった内面と外面を持つ曲がりくねった突起物であり得る。
【０２０４】
通常は、受け溝の内側に向かう壁と外側に向かう壁の少なくとも１つは、曲がりくねった壁である。ある場合に両方の壁が曲がりくねった壁である。曲がりくねった壁は、第１のフィルタカートリッジとアクセスカバーとの間の回転しない係合を提供するために、アクセスカバー上の曲がりくねった突起物と係合するために使用することができる。
【０２０５】
図示した例では、第２端部キャップの外面は、受け溝によって取り囲まれた中央外側へ突出する突起物を含み、アクセスカバー内面は、第１のフィルタカートリッジ上の中央突起物中が突出する受け部を含む。
【０２０６】
本実施例との関連で記載された特徴は、図に示されたような配置で実施することができ、その配置では、ハウジング本体は、開いているフィルタ内部中に突出する中央カートリッジ支持体を含む。中央カートリッジ支持体は、片持ちばりの支持体端部と回転しないポートの１つかまたは両方のためにカートリッジに係合する特徴を持っている、支持体端部を含むことができる。
【０２０７】
また、本明細書に記載された原理の代替の特徴に基づいて、エアフィルタカートリッジが提供される。エアフィルタカートリッジは、開いているフィルタ内部を取り囲こみ、第１端部と第２端部とを有する濾材積層体を含むことができる。第１端部キャップは、濾材積層体の第１端部に配置される。第１端部キャップは、その中に中央開口部を含む。
【０２０８】
ハウジングのシール部材は、第１端部キャップ上に配置される。ハウジングのシール部材は、第１端部キャップ残りの部分と一体成形で形成することができ、かつ、例えば、内部に向いたまたは外部に向いた半径方向シールを含むことができる。シール部材は、記載されたように、その中に埋め込まれたシール支持体を含むことができる。
【０２０９】
第２端部キャップは、濾材積層体の第２端部上に配置される。第２端部キャップは、内面と外面を含むことができる。外面は、好ましくは、曲がりくねった受け溝を含む。また、外面は、好ましくは、曲がりくねった受け溝によって取り囲まれた外側に向いている突起物を含む。
【０２１０】
第２端部キャップの内面は、好ましくは、第１端部キャップから離れる方向に突出する中央受け部を含む。この例では、中央受け部は、受け溝によって取り囲まれている。
【０２１１】
図示された特別の例では、受け溝は、８つの花弁（ペタル）形状、すなわち、８つの折りたたみの対称性を持つ。
【０２１２】
図示した例では、濾材積層体は、ひだ付き濾材を含む。また、示した例では、濾材積層体は、第１端部キャップから第２端部キャップまでの延長部分で下向きに先細りとなる円錐状形状を持つ。
【０２１３】
また、本開示の原理に基づく何らかの利益を得るために、配置物が本明細書に特徴付けられた特徴の全てを含むという必要性は全くない。しかしながら、記載された特徴は、組み合わせにおいて、組み立てることが比較的容易な、有利なエアークリーナアセンブリを提供する。
【図１】
2014054630.tif 000003
【図２】
2014054630.tif 000004
【図３】
2014054630.tif 000005
【図４】
2014054630.tif 000006
【図５】
2014054630.tif 000007
【図５Ａ】
2014054630.tif 000008
【図５Ｂ】
2014054630.tif 000009
【図６】
2014054630.tif 000010
【図７】
2014054630.tif 000011
【図８Ａ】
2014054630.tif 000012
【図８Ｂ】
2014054630.tif 000013
【図９】
2014054630.tif 000014
【図１０】
2014054630.tif 000015
【図１１】
2014054630.tif 000016
【図１２】
2014054630.tif 000017
【図１３】
2014054630.tif 000018
【図１４】
2014054630.tif 000019
【図１５】
2014054630.tif 000020
【図１６】
2014054630.tif 000021
【図１７】
2014054630.tif 000022
【図１８】
2014054630.tif 000023
【図１９】
2014054630.tif 000024
【図２０】
2014054630.tif 000025
【図２１】
2014054630.tif 000026
【図２２】
2014054630.tif 000027
【図２３】
2014054630.tif 000028
【図２４】
2014054630.tif 000029
【図２５】
2014054630.tif 000030
【図２６】
2014054630.tif 000031
【図２７】
2014054630.tif 000032
【図２８】
2014054630.tif 000033
【図２９】
2014054630.tif 000034
【図３０】
2014054630.tif 000035
【図３１】
2014054630.tif 000036
【手続補正書】
【提出日】平成25年10月18日(2013.10.18)
【手続補正１】
【補正対象書類名】特許請求の範囲
【補正対象項目名】全文
【補正方法】変更
【補正の内容】
【特許請求の範囲】
【請求項１】
エアフィルタカートリッジであって、
（ａ）前記エアフィルタカートリッジは、第１端部と、第２端部とを持ち、開いているフィルタ内部空間を取り囲む濾材を備え、
（ｂ）前記エアフィルタカートリッジは、前記濾材の前記第１端部に配置されている第１端部キャップを備え、
（i）前記第１端部キャップは、その中に中央開口部を持ち、
（ｃ）前記エアフィルタカートリッジは、前記第１端部キャップに配置されたシール部材を備え、
（ｄ）前記エアフィルタカートリッジは、前記濾材の第２端部に配置された前記第２端部キャップを備え、前記第２端部キャップは、内面と外面とを含み、
（i）前記外面は、第１の受け溝を含み、
（ii）前記第１の受け溝は、２５ｍｍ未満の距離だけ間隔を空けた２つの壁の間に配置され、
（iii）前記内面は、前記第１端部キャップから外側に突出している中央受け部を有し、
（iv）前記第２端部キャップの一部は、前記第１の受け溝を画定する前記第２端部キャップの一部によって取り囲まれている前記中央受け部を前記外面に画定している、
ことを特徴とするエアフィルタカートリッジ。
【請求項２】
（ａ）前記第２端部キャップの前記外面中の前記第１の受け溝は、１０ｍｍ未満の距離だけ間隔を空けた２つの壁の間に６ｍｍの深さで配置されていることを特徴とする請求項１に記載のエアフィルタカートリッジ。
【請求項３】
（ａ）前記第２端部キャップの前記外面中の前記第１の受け溝は、１０ｍｍ未満の距離だけ間隔を空けた２つの壁の間に配置されていることを特徴とする請求項１又は請求項２に記載のエアフィルタカートリッジ。
【請求項４】
（ａ）前記濾材は、前記第１端部キャップから前記第２端部キャップまで下方方向にテーパ状に延長している円錐形状を持つことを特徴とする請求項１乃至請求項３のいずれか１項に記載のエアフィルタカートリッジ。
【請求項５】
（ａ）前記シール部材は、半径方向に向いたシール部材であることを特徴とする請求項１乃至請求項４のいずれか１項に記載のエアフィルタカートリッジ。
【請求項６】
（ａ）前記シール部材は、半径方向内側に向いたシール部材であることを特徴とする請求項１乃至請求項５のいずれか１項に記載のエアフィルタカートリッジ。
【請求項７】
（ａ）前記シール部材は、半径方向外側に向いたシール部材であることを特徴とする請求項１乃至請求項５のいずれか１項に記載のエアフィルタカートリッジ。
【請求項８】
（ａ）前記第１の受け溝の外面は、前記濾材から半径方向内側に少なくとも２０ｍｍだけ間隔を空けて配置されていることを特徴とする請求項１乃至請求項７のいずれか１項に記載のエアフィルタカートリッジ。
【請求項９】
（ａ）前記第１の受け溝は、凸部と凹部とを繰り返す曲がりくねった形状を有する壁を持つことを特徴とする請求項１乃至請求項８のいずれか１に記載のエアフィルタカートリッジ。
【請求項１０】
エアフィルタカートリッジであって、
（ａ）前記エアフィルタカートリッジは、第１端部と、第２端部とを持ち、開いている内部空間を取り囲むひだ付きの濾材を備え、
（ｂ）前記エアフィルタカートリッジは、前記濾材の前記第１端部に配置されている第１端部キャップを備え、
（ｃ）前記エアフィルタカートリッジは、前記濾材の前記第２端部に配置されている第２端部キャップを備え、
（ｄ）前記第１端部キャップ及び前記第２端部キャップの一方の一部は、少なくとも５つの半径方向に向いている凸部と半径方向に向いている凹部とを繰り返して有する半径方向に向く表面を有し、
（i）前記半径方向に向く表面は、前記濾材の外側寸法よりも小さい断面寸法を有する曲がりくねった形状を持つ、
ことを特徴とするエアフィルタカートリッジ。
【請求項１１】
（ａ）曲がりくねった形状を持つ前記半径方向に向く表面は、半径方向外側に向く表面であることを特徴とする請求項１０に記載のエアフィルタカートリッジ。
【請求項１２】
（ａ）少なくとも５つの半径方向に向いている凸部と半径方向に向いている凹部とを繰り返して有する半径方向に向く表面を有する、前記第１端部キャップ及び前記第２端部キャップの一方の前記一部は、前記第２端部キャップの一部であることを特徴とする請求項１０又は請求項１１に記載のエアフィルタカートリッジ。
【請求項１３】
（ａ）前記第１端部キャップは、それを貫通する中央開口部を有し、
（ｂ）シール部材が、前記第１端部キャップに配置され、
（ｃ）前記第２端部キャップは、内面と外面とを有し、
（ｉ）前記内面は、前記第１端部キャップから外側に突出している中央受け部を画定し、
（ｉｉ）前記中央受け部を形成する、前記第２端部キャップの前記外面の一部は、少なくとも５つの半径方向に向いている凸部と半径方向に向いている凹部とを繰り返して有する、ことを特徴とする請求項１０乃至請求項１２のいずれか１項に記載のエアフィルタカートリッジ。
【請求項１４】
（ａ）前記第１の端部キャップは、半径方向内側に向いたシールを有することを特徴とする請求項１０乃至請求項１３のいずれか１項に記載のエアフィルタカートリッジ。
【請求項１５】
（ａ）前記第１の端部キャップは、半径方向外側に向いたシールを有することを特徴とする請求項１０乃至請求項１３のいずれか１項に記載のエアフィルタカートリッジ。
【請求項１６】
（ａ）前記濾材は、前記第１端部キャップから前記第２端部キャップまで下方方向にテーパ状に延長している円錐形状を持つことを特徴とする請求項１０乃至請求項１５のいずれか１項に記載のエアフィルタカートリッジ。
【請求項１７】
エアフィルタカートリッジであって、
（ａ）前記エアフィルタカートリッジは、第１端部と、第２端部とを持ち、開いているフィルタ内部空間を取り囲む濾材を備え、
（ｂ）前記エアフィルタカートリッジは、濾材支持体とシール支持体とを互いに一体として含むプリフォームを備え、
（i）前記濾材は、前記濾材支持体を取り囲み、
（ｉｉ）前記シール支持体は、前記濾材の前記第１端部と軸方向に重なるように配置され、
（ｃ）前記エアフィルタカートリッジは、前記濾材の前記第１端部の所定の位置に成形された部分を有し、
（ｉ）前記シール支持体は、開いている前記第１端部キャップの前記所定の位置に成形された部分に埋め込まれ、
（ｉｉ）開いている第１端部キャップの前記所定の位置に成形された部分は、前記濾材の前記第１端部と軸方向に重なるように配置され前記シール支持体によって支持される、半径方向外側に突出するハウジングの半径方向シールを画定し、
（ｄ）前記エアフィルタカートリッジは、前記濾材の前記第２端部に配置された、閉ざされている第２端部キャップを備える、
ことを特徴とするエアフィルタカートリッジ。
【請求項１８】
（ａ）前記濾材は、円錐形状を有することを特徴とする請求項１７に記載のエアフィルタカートリッジ。
【請求項１９】
（ａ）前記エアフィルタカートリッジは、請求項１乃至請求項１６のいずれか１項をさらに満たすことを特徴とする請求項１７に記載のエアフィルタカートリッジ。
【請求項２０】
エアクリーナアセンブリであって、
（ａ）前記エアクリーナアセンブリは、
（ｉ）空気流入口及び空気流出口を有し、内部空間を画定するハウジングを備え、
（Ａ）前記ハウジングは、点検用のアクセス端部とその上に配置された取り外し可能なアクセスカバーとを画定し、
（Ｂ）前記アクセスカバーは、その上に中央突起を含み、前記中央突起は、前記アクセスカバーから前記ハウジングの内部空間内に延びており、
（ｉｉ）前記エアクリーナアセンブリは、前記ハウジングの前記アクセスカバーとは反対側の端部から前記アクセスカバーに向けて突出する中央カートリッジ支持体を備え、
（Ａ）前記中央カートリッジ支持体は、前記ハウジングの前記アクセスカバーとは反対側の前記端部から離れた第１端部を有し、前記中央カートリッジ支持体の前記第１端部は、中央突起を取り囲む受け溝を含み、前記中央突起は、前記アクセスカバーに向けて延びており、
（ｂ）前記エアクリーナアセンブリは、前記ハウジング内で前記中央カートリッジ支持体の上に配置される請求項１乃至請求項１９のいずれか１項に記載のエアフィルタカートリッジを備える、
ことを特徴とするエアクリーナアセンブリ。
【外国語明細書】
2014054630000001.pdf